(57)【特許請求の範囲】
【請求項１】
一方の方向の両端に第１の電極及び第２の電極が設けられた第１の抵抗膜と、
前記一方の方向に直交する他方の方向に両端に第３の電極及び第４の電極が設けられた第２の抵抗膜と、を有するタッチパネルの位置検出方法において、
前記第１の電極に第１の抵抗の一方を接続し、前記第１の抵抗の他方に電源電圧を印加し、前記第２の電極を接地した状態で、前記第１の電極における電位を測定する第１の測定工程と、
前記第３の電極に第２の抵抗の一方を接続し、前記第２の抵抗の他方に電源電圧を印加し、前記第４の電極を接地した状態で、前記第３の電極における電位を測定する第２の測定工程と、
前記第１の電極に電源電圧を印加し、前記第２の電極を接地した状態で、前記第３の電極における電位及び、前記第４の電極における電位を測定する第３の測定工程と、
前記第３の電極に電源電圧を印加し、前記第４の電極を接地した状態で、前記第１の電極における電位及び、前記第２の電極における電位を測定する第４の測定工程と、
を有することを特徴とするタッチパネルにおける位置検出方法。
【請求項２】
前記第１の測定工程において検出された電位が、前記第１の電極と前記第２の電極間の抵抗と前記第１の抵抗とによる分圧値と、略同じであるか否かにより、前記タッチパネルにおける接触点が１点であるか２点であるか判別する工程と、
前記第２の測定工程において検出された電位が、前記第３の電極と前記第４の電極間の抵抗と前記第２の抵抗とによる分圧値と、略同じであるか否かにより、前記タッチパネルにおける接触点が１点であるか２点であるか判別する工程と、
を有することを特徴とする請求項１に記載のタッチパネルにおける位置検出方法。
【請求項３】
前記タッチパネルにおける接触点が２点であると判断された場合において、
前記第１の測定工程において検出された電位と、前記第１の電極と前記第２の電極間の抵抗と前記第１の抵抗とによる分圧値との差に基づき、前記タッチパネルにおける２点の接触点の前記一方の方向における距離を算出する工程と、
前記第２の測定工程において検出された電位と、前記第３の電極と前記第４の電極間の抵抗と前記第２の抵抗とによる分圧値との差に基づき、前記タッチパネルにおける２点の接触点の前記他方の方向における距離を算出する工程と、
を有することを特徴とする請求項１または２に記載のタッチパネルにおける位置検出方法。
【請求項４】
前記第１の測定工程及び前記第２の測定工程の前に、接触点がない状態または接触点が１点である場合において、
前記第１の電極に第１の抵抗の一方を接続し、前記第１の抵抗の他方に電源電圧を印加し、前記第２の電極を接地した状態で、前記第１の電極における初期電位を測定する工程と、
前記第３の電極に第２の抵抗の一方を接続し、前記第２の抵抗の他方に電源電圧を印加し、前記第４の電極を接地した状態で、前記第３の電極における初期電位を測定する工程と、を有し、
前記第１の測定工程において検出される第１の電極における電位が、前記第１の電極における初期電位よりも低く、前記第２の測定工程において検出される第３の電極における電位が、前記第３の電極における初期電位と略等しい場合には、前記２点の接触点は、前記一方の方向に略平行であるものと判断し、
前記第１の測定工程において検出される第１の電極における電位が、前記第１の電極における初期電位と略等しく、前記第２の測定工程において検出される第３の電極における電位が、前記第３の電極における初期電位よりも低い場合には、前記２点の接触点は、前記他方の方向に略平行であるものと判断することを特徴とする請求項２または３に記載のタッチパネルにおける位置検出方法。
【請求項５】
前記第１の測定工程において検出される第１の電極における電位よりも、前記第２の測定工程において検出される第３の電極における電位が高い場合には、前記２点の接触点は、前記一方の方向に略平行であるものと判断し、前記第１の測定工程において検出される第１の電極における電位よりも、前記第２の測定工程において検出される第３の電極における電位が低い場合には、前記２点の接触点は、前記他方の方向に略平行であるものと判断することを特徴とする請求項２または３に記載のタッチパネルにおける位置検出方法。
【請求項６】
前記第３の測定工程において、前記第３の電極における電位が前記第４の電極における電位よりも高い場合には、前記２点の接触点のうち、一方の接触点は、他方の接触点に対し、前記第１の電極に近く、かつ、前記第３の電極に近いものと判断し、
前記第３の電極における電位が前記第４の電極における電位よりも低い場合には、前記２点の接触点のうち、一方の接触点は、他方の接触点に対し、前記第２の電極に近く、かつ、前記第３の電極に近いものと判断することを特徴とする請求項２から５のいずれかに記載のタッチパネルにおける位置検出方法。
【請求項７】
前記第３の測定工程において、前記第３の電極における電位と前記第４の電極における電位が略同じである場合には、前記２点の接触点は、前記一方の方向または前記他方の方向に略平行であるものと判断することを特徴とする請求項２、３または６のいずれかに記載のタッチパネルにおける位置検出方法。
【請求項８】
前記第４の測定工程において、前記第１の電極における電位が前記第２の電極における電位よりも高い場合には、前記２点の接触点のうち、一方の接触点は、他方の接触点に対し、前記第１の電極に近く、かつ、前記第３の電極に近いものと判断し、
前記第１の電極における電位が前記第２の電極における電位よりも低い場合には、前記２点の接触点のうち、一方の接触点は、他方の接触点に対し、前記第２の電極に近く、かつ、前記第３の電極に近いものと判断することを特徴とする請求項２から５のいずれかに記載のタッチパネルにおける位置検出方法。
【請求項９】
前記第４の測定工程において、前記第１の電極における電位と前記第２の電極における電位が略同じである場合には、前記２点の接触点は、前記一方の方向または前記他方の方向に略平行であるものと判断することを特徴とする請求項２、３、６または８のいずれかに記載のタッチパネルにおける位置検出方法。
【請求項１０】
前記タッチパネルにおける接触点が２点であると判断された場合において、
前記第３の測定工程において、前記第３の電極における電位及び、前記第４の電極における電位の平均値を測定し、前記平均値に基づき前記２点の接触点の中点の前記他方の方向における座標を算出する工程と、
前記第４の測定工程において、前記第１の電極における電位及び、前記第２の電極における電位の平均値を測定し、前記平均値に基づき前記２点の接触点の中点の前記一方の方向における座標を算出する工程と、
を有することを特徴とする請求項２から９のいずれかに記載のタッチパネルにおける位置検出方法。
【請求項１１】
前記第１の測定工程に代えて、前記第２の電極に前記第１の抵抗の一方を接続して、前記第１の抵抗の他方を接地し、前記第１の電極に電源電圧を印加した状態で、前記第２の電極における電位を測定する工程と、
前記第２の測定工程に代えて、前記第４の電極に前記第２の抵抗の一方を接続して、前記第２の抵抗の他方を接地し、前記第３の電極に電源電圧を印加した状態で、前記第４の電極における電位を測定する工程と、
を有することを特徴とする請求項２から１０のいずれかに記載のタッチパネルにおける位置検出方法。
【請求項１２】
一方の方向の両端に第１の電極及び第２の電極が設けられた第１の抵抗膜と、
前記一方の方向に直交する他方の方向に両端に第３の電極及び第４の電極が設けられた第２の抵抗膜と、
前記第１の電極、前記第２の電極、前記第３の電極及び前記第４の電極の各々の測定の制御を行なう制御部と、を有するタッチパネルにおいて、
前記制御部は、
前記第１の電極に第１の抵抗の一方を接続し、前記第１の抵抗の他方に電源電圧を印加し、前記第２の電極を接地した状態で、前記第１の電極における電位を測定する制御と、
前記第３の電極に第２の抵抗の一方を接続し、前記第２の抵抗の他方に電源電圧を印加し、前記第４の電極を接地した状態で、前記第３の電極における電位を測定する制御と、
前記第１の電極に電源電圧を印加し、前記第２の電極を接地した状態で、前記第３の電極における電位及び、前記第４の電極における電位を測定する制御と、
前記第３の電極に電源電圧を印加し、前記第４の電極を接地した状態で、前記第１の電極における電位及び、前記第２の電極における電位を測定する制御と、
を行なうことを特徴とするタッチパネル。
【請求項１３】
一方の方向の両端に第１の電極及び第２の電極が設けられた第１の抵抗膜と、
前記一方の方向に直交する他方の方向に両端に第３の電極及び第４の電極が設けられた第２の抵抗膜と、
前記第１の電極に一方が接続され、他方に電源電圧が印加される第１の抵抗と、
前記第３の電極に一方が接続され、他方に電源電圧が印加される第２の抵抗と、
を有し、
前記第１の抵抗の抵抗値は、前記第１の抵抗膜における第１の電極と第２の電極との間の抵抗値に対し、２５％以上、４００％以下であることを特徴とするタッチパネル。
【請求項１４】
一方の方向の両端に第１の電極及び第２の電極が設けられた第１の抵抗膜と、
前記一方の方向に直交する他方の方向に両端に第３の電極及び第４の電極が設けられた第２の抵抗膜と、
前記第１の電極に一方が接続され、他方に電源電圧が印加される第１の抵抗と、
前記第３の電極に一方が接続され、他方に電源電圧が印加される第２の抵抗と、
を有し、
前記第２の抵抗の抵抗値は、前記第２の抵抗膜における第３の電極と第４の電極との間の抵抗値に対し、２５％以上、４００％以下であることを特徴とするタッチパネル。
【請求項１５】
前記第２の抵抗の抵抗値は、前記第２の抵抗膜における第３の電極と第４の電極との間の抵抗値に対し、２５％以上、４００％以下であることを特徴とする請求項１３に記載のタッチパネル。
【請求項１６】
前記第１の抵抗は可変抵抗であることを特徴とする請求項１３から１５のいずれかに記載のタッチパネル。
【請求項１７】
前記第２の抵抗は可変抵抗であることを特徴とする請求項１３から１６のいずれかに記載のタッチパネル。
【請求項１８】
前記第１の電極、前記第２の電極、前記第３の電極及び前記第４の電極の各々における電位の測定の制御を行なう制御部を有し、
前記第１の抵抗の抵抗値及び前記第２の抵抗の抵抗値は、前記制御部による制御により設定されるものであることを特徴とする請求項１６または１７に記載のタッチパネル。
【請求項１９】
一方の方向の両端に第１の電極及び第２の電極が設けられた第１の抵抗膜と、
前記一方の方向に直交する他方の方向に両端に第３の電極及び第４の電極が設けられた第２の抵抗膜と、
前記第１の電極に一方が接続され、他方に複数の抵抗からなる第１の抵抗群の一方が接続されている第１のスイッチと、
を有し、
前記第１の抵抗群の他方は電源電圧が印加されており、前記第１の抵抗膜は、前記第１のスイッチにより、前記第１の抵抗群における抵抗のうちいずれか１つを選択して直列に接続されるものであることを特徴とするタッチパネル。
【請求項２０】
一方の方向の両端に第１の電極及び第２の電極が設けられた第１の抵抗膜と、
前記一方の方向に直交する他方の方向に両端に第３の電極及び第４の電極が設けられた第２の抵抗膜と、
前記第３の電極に一方が接続され、他方に複数の抵抗からなる第２の抵抗群の一方が接続されている第２のスイッチと、
を有し、
前記第２の抵抗群の他方は電源電圧が印加されており、前記第２の抵抗膜は、前記第２のスイッチにより、前記第２の抵抗群における抵抗のうちいずれか１つを選択して直列に接続されるものであることを特徴とするタッチパネル。
【請求項２１】
前記第３の電極に一方が接続され、他方に複数の抵抗からなる第２の抵抗群の一方が接続されている第２のスイッチと、
を有し、
前記第２の抵抗群の他方は電源電圧が印加されており、前記第２の抵抗膜は、前記第２のスイッチにより、前記第２の抵抗群における抵抗のうちいずれか１つを選択して直列に接続されるものであることを特徴とする請求項１９に記載のタッチパネル。
【請求項２２】
前記第１の抵抗群より選択される抵抗の抵抗値は、前記第１の抵抗膜における第１の電極と第２の電極との間の抵抗値に対し、２５％以上、４００％以下であることを特徴とする請求項１９または２１に記載のタッチパネル。
【請求項２３】
前記第２の抵抗群より選択される抵抗の抵抗値は、前記第２の抵抗膜における第３の電極と第４の電極との間の抵抗値に対し、２５％以上、４００％以下であることを特徴とする請求項２０または２１に記載のタッチパネル。
【請求項２４】
前記第１の抵抗は、第１の電極に一方が接続され、他方に電源電圧が印加されるものに代えて、前記第２の電極に一方が接続され、他方が接地されるものであって、
前記第２の抵抗は、第３の電極に一方が接続され、他方に電源電圧が印加されるものに代えて、前記第４の電極に一方が接続され、他方が接地されるものであることを特徴とする請求項１３から１８のいずれかに記載のタッチパネル。
【請求項２５】
前記第１の抵抗群は、第１の電極に一方が接続され、他方に電源電圧が印加されるものに代えて、前記第２の電極に一方が接続され、他方が接地されるものであることを特徴とする請求項１９、２１、２２のいずれかに記載のタッチパネル。
【請求項２６】
前記第２の抵抗群は、第３の電極に一方が接続され、他方に電源電圧が印加されるものに代えて、前記第４の電極に一方が接続され、他方が接地されるものであることを特徴とする請求項２０、２１、２３のいずれかに記載のタッチパネル。
【請求項２７】
一方の方向の両端に第１の電極及び第２の電極が設けられた第１の抵抗膜と、前記一方の方向に直交する他方の方向に両端に第３の電極及び第４の電極が設けられた第２の抵抗膜と、前記第１の電極に一方が接続され、他方に電源電圧が印加される第１の抵抗と、前記第３の電極に一方が接続され、他方に電源電圧が印加される第２の抵抗とを有するタッチパネルの初期化方法において、
前記タッチパネルに所定の電位が印加された状態で、前記タッチパネル上の２点において接触した状態で電位を測定する工程と、
前記測定された電位に基づき、２点の接触点の距離と電位との関係式を算出する工程と、
を有することを特徴とするタッチパネルの初期化方法。
【請求項２８】
前記電位を測定する工程において、前記２点の接触点は、４点のうち選択されたいずれか２点であって、前記２点の接触点のうち一方の接触点を固定した状態で、他方の接触点を４点のうちの残りの３点について順次選択して接触することにより、前記電位を測定する工程を３回行なうことを特徴とする請求項２７に記載のタッチパネルの初期化方法。
【請求項２９】
前記４点は、同一直線上に位置するものであることを特徴とする請求項２８に記載のタッチパネルの初期化方法。
【請求項３０】
前記一方の接触点は、前記４点のうちタッチパネルの最も外側に位置する点であることを特徴とする請求項２８または２９に記載のタッチパネルの初期化方法。
【請求項３１】
前記タッチパネル上の２点において接触した状態で電位を測定する工程の前に、前記４点を順次接触して、前記４点における座標位置を検出する座標位置検出工程を有することを特徴とする請求項２８から３０のいずれかに記載のタッチパネルの初期化方法。
【請求項３２】
前記４点のうち選択されたいずれか２点であって、前記２点の接触点のうち一方の接触点を固定した状態で、他方の接触点を４点のうちの残りの３点のうち、前記一方の接触点と前記一方の接触点に最も近い接触点との間には、さらに２つの点が設けられており、前記一方の接触点、前記一方の接触点に最も近い接触点、前記さらに２つの点において、前記電位を測定する工程をさらに３回行なうことを特徴とする請求項２８から３１のいずれかに記載のタッチパネルの初期化方法。
【請求項３３】
前記関係式は２次式または３次式であることを特徴とする請求項２７から３２のいずれかに記載のタッチパネルの初期化方法。
【請求項３４】
前記関係式は、前記接触点同士を結ぶ１次式を含むものであることを特徴とする請求項２７から３２のいずれかに記載のタッチパネルの初期化方法。
【請求項３５】
前記タッチパネルは表示装置上に設置されるものであって、前記接触点の位置は前記表示装置に表示されるものであることを特徴とする請求項２７から３４のいずれかに記載のタッチパネルの初期化方法。
【請求項３６】
前記タッチパネルの初期化の際には、前記タッチパネルは表示治具上に設置され、前記表示治具には前記接触点の位置が示されているものであることを特徴とする請求項２７から３４のいずれかに記載のタッチパネルの初期化方法。
【請求項３７】
前記タッチパネルには前記接触点の位置が示されているものであることを特徴とする請求項２７から３４のいずれかに記載のタッチパネルの初期化方法。
【請求項３８】
前記電位を測定する工程は、前記所定の回数、前記電位を測定し、所定の回数における移動平均の値が所定の範囲内である場合において、前記移動平均の値を前記測定された電位とするものであることを特徴とする請求項２７から３７のいずれかに記載のタッチパネルの初期化方法。
【請求項３９】
一方の方向の両端に第１の電極及び第２の電極が設けられた第１の抵抗膜と、
前記一方の方向に直交する他方の方向に両端に第３の電極及び第４の電極が設けられた第２の抵抗膜と、
前記第１の電極に一方が接続され、他方に電源電圧が印加される第１の抵抗と、
前記第３の電極に一方が接続され、他方に電源電圧が印加される第２の抵抗と、
を有するタッチパネルにおいて、
前記タッチパネルは表示装置上に設置されるものであって、
前記タッチパネルに所定の電位が印加された状態で、前記タッチパネル上の２点において接触した状態で電位を測定し、前記測定された電位に基づき２点の接触点と電位との関係式を算出するための接触点が前記表示装置に表示されているものであることを特徴とするタッチパネル。
【請求項４０】
一方の方向の両端に第１の電極及び第２の電極が設けられた第１の抵抗膜と、
前記一方の方向に直交する他方の方向に両端に第３の電極及び第４の電極が設けられた第２の抵抗膜と、
前記第１の電極に一方が接続され、他方に電源電圧が印加される第１の抵抗と、
前記第３の電極に一方が接続され、他方に電源電圧が印加される第２の抵抗と、
を有するタッチパネルにおいて、
前記タッチパネルに所定の電位が印加された状態で、前記タッチパネル上の２点において接触した状態で電位を測定し、前記測定された電位に基づき２点の接触点と電位との関係式を算出するための接触点が示されているものであることを特徴とするタッチパネル。
【請求項４１】
前記接触点として示される接触点は、少なくとも４点以上であることを特徴とする請求項３９または４０に記載のタッチパネル。
【発明の詳細な説明】
【技術分野】
【０００１】
本発明は、タッチパネルにおける位置検出方法、タッチパネル、タッチパネルの初期化方法に関する。
【背景技術】
【０００２】
現在普及している電子機器には、タッチパネルが搭載されているものが数多くある。タッチパネルは、直接タッチパネルに指等を接触させることにより電子機器への情報入力をすることができるものであり、簡易な情報入力手段として、今後更なる普及が期待されている。
【０００３】
ところで、一般的なタッチパネルの殆どが、接触している点が１点である場合において、接触位置の位置検出をするものである。従って、タッチパネルにおける接触点が２点以上である場合、正確な接触点の位置情報を検出することができない。このため、接触点が２点の場合においても各々の接触点における正確な位置情報を検出することができる方法が望まれていた。
【０００４】
タッチパネルにおける接触点が２点である場合における接触点の検出する方法としては、特許文献１から１７に様々な方法が開示されている。具体的には、１点目と２点目が接触する僅かな時間差を利用する方法、タッチパネルの導体膜に抵抗を接続する方法、Ｘ側の電極とＹ側の電極との間に電圧を印加する方法等が開示されている。
【０００５】
また、特許文献１２には、２点で押下した場合における２点間の距離情報を検出する方法が開示されている。また、特許文献１４には、抵抗膜を分割した構成のものが開示されている。また、特許文献１７には、２組の抵抗膜を用いた構成のものが開示されている。また、特許文献１８、１９には、１点入力における歪みを補正する方法が開示されている。
【先行技術文献】
【特許文献】
【０００６】
【特許文献１】特許第３４０２８５８号公報
【特許文献２】特開２００９−２８９１５７号公報
【特許文献３】特許第３３９７５１９号公報
【特許文献４】特開平８−５４９７６号公報
【特許文献５】特開平３−７７１１９号公報
【特許文献６】特開平１０−１７１５８１号公報
【特許文献７】特開平１１−９５９２９号公報
【特許文献８】特開平１−２６９１２０号公報
【特許文献９】特開平８−２４１１６１号公報
【特許文献１０】特開平８−５４９７７号公報
【特許文献１１】特開２００７−１５６８７５号公報
【特許文献１２】特開２００９−１７６１１４号公報
【特許文献１３】特許第３３５１０８０号公報
【特許文献１４】特開平９−４５１８４号公報
【特許文献１５】特開２００５−４９９７８号公報
【特許文献１６】特開２０１０−１０２６２７号公報
【特許文献１７】特開平１１−２３２０２３号公報
【特許文献１８】特開２００１−６７１８６号公報
【特許文献１９】特許第２５５４５７７号公報
【発明の概要】
【発明が解決しようとする課題】
【０００７】
ところで、上述したタッチパネルの接触した２点の位置情報を検出する方法では、同時に２点が接触した場合には、正確に２点における位置座標を検出することができないといった問題や、２点における位置情報を検出するために、抵抗膜を分割した構造や、抵抗膜を２組設けた構造といった特殊な構造等とする必要があり、この場合には、コストアップにもつながるという問題点を有していた。
【０００８】
このため、従来より使用されている４線式のタッチパネルにおいて、簡易な方法であって、低コストで、同時に２点で接触した場合においても、各々の座標位置を検出することのできる位置検出方法が望まれている。
【０００９】
本発明は、上記に鑑みてなされたものであり、４線式のタッチパネルにおいて、簡易な方法であって、低コストで、同時に２点で接触した場合においても、各々の座標位置を検出することのできるタッチパネルにおける位置検出方法、タッチパネル、タッチパネルの初期化方法を提供するものである。
【課題を解決するための手段】
【００１０】
本発明は、一方の方向の両端に第１の電極及び第２の電極が設けられた第１の抵抗膜と、前記一方の方向に直交する他方の方向に両端に第３の電極及び第４の電極が設けられた第２の抵抗膜と、を有するタッチパネルの位置検出方法において、前記第１の電極に第１の抵抗の一方を接続し、前記第１の抵抗の他方に電源電圧を印加し、前記第２の電極を接地した状態で、前記第１の電極における電位を測定する第１の測定工程と、前記第３の電極に第２の抵抗の一方を接続し、前記第２の抵抗の他方に電源電圧を印加し、前記第４の電極を接地した状態で、前記第３の電極における電位を測定する第２の測定工程と、前記第１の電極に電源電圧を印加し、前記第２の電極を接地した状態で、前記第３の電極における電位及び、前記第４の電極における電位を測定する第３の測定工程と、前記第３の電極に電源電圧を印加し、前記第４の電極を接地した状態で、前記第１の電極における電位及び、前記第２の電極における電位を測定する第４の測定工程と、を有することを特徴とする。
【００１１】
また、本発明は、前記第１の測定工程において検出された電位が、前記第１の電極と前記第２の電極間の抵抗と前記第１の抵抗とによる分圧値と、略同じであるか否かにより、前記タッチパネルにおける接触点が１点であるか２点であるか判別する工程と、前記第２の測定工程において検出された電位が、前記第３の電極と前記第４の電極間の抵抗と前記第２の抵抗とによる分圧値と、略同じであるか否かにより、前記タッチパネルにおける接触点が１点であるか２点であるか判別する工程と、を有することを特徴とする。
【００１２】
また、本発明は、前記タッチパネルにおける接触点が２点であると判断された場合において、前記第１の測定工程において検出された電位と、前記第１の電極と前記第２の電極間の抵抗と前記第１の抵抗とによる分圧値との差に基づき、前記タッチパネルにおける２点の接触点の前記一方の方向における距離を算出する工程と、前記第２の測定工程において検出された電位と、前記第３の電極と前記第４の電極間の抵抗と前記第２の抵抗とによる分圧値との差に基づき、前記タッチパネルにおける２点の接触点の前記他方の方向における距離を算出する工程と、を有することを特徴とする。
【００１３】
また、本発明は、前記第１の測定工程及び前記第２の測定工程の前に、接触点がない状態または接触点が１点である場合において、前記第１の電極に第１の抵抗の一方を接続し、前記第１の抵抗の他方に電源電圧を印加し、前記第２の電極を接地した状態で、前記第１の電極における初期電位を測定する工程と、前記第３の電極に第２の抵抗の一方を接続し、前記第２の抵抗の他方に電源電圧を印加し、前記第４の電極を接地した状態で、前記第３の電極における初期電位を測定する工程と、を有し、前記第１の測定工程において検出される第１の電極における電位が、前記第１の電極における初期電位よりも低く、前記第２の測定工程において検出される第３の電極における電位が、前記第３の電極における初期電位と略等しい場合には、前記２点の接触点は、前記一方の方向に略平行であるものと判断し、前記第１の測定工程において検出される第１の電極における電位が、前記第１の電極における初期電位と略等しく、前記第２の測定工程において検出される第３の電極における電位が、前記第３の電極における初期電位よりも低い場合には、前記２点の接触点は、前記他方の方向に略平行であるものと判断することを特徴とする。
【００１４】
また、本発明は、前記第１の測定工程において検出される第１の電極における電位よりも、前記第２の測定工程において検出される第３の電極における電位が高い場合には、前記２点の接触点は、前記一方の方向に略平行であるものと判断し、前記第１の測定工程において検出される第１の電極における電位よりも、前記第２の測定工程において検出される第３の電極における電位が低い場合には、前記２点の接触点は、前記他方の方向に略平行であるものと判断することを特徴とする。
【００１５】
また、本発明は、前記第３の測定工程において、前記第３の電極における電位が前記第４の電極における電位よりも高い場合には、前記２点の接触点のうち、一方の接触点は、他方の接触点に対し、前記第１の電極に近く、かつ、前記第３の電極に近いものと判断し、前記第３の電極における電位が前記第４の電極における電位よりも低い場合には、前記２点の接触点のうち、一方の接触点は、他方の接触点に対し、前記第２の電極に近く、かつ、前記第３の電極に近いものと判断することを特徴とする。
【００１６】
また、本発明は、前記第３の測定工程において、前記第３の電極における電位と前記第４の電極における電位が略同じである場合には、前記２点の接触点は、前記一方の方向または前記他方の方向に略平行であるものと判断することを特徴とする。
【００１７】
また、本発明は、前記第４の測定工程において、前記第１の電極における電位が前記第２の電極における電位よりも高い場合には、前記２点の接触点のうち、一方の接触点は、他方の接触点に対し、前記第１の電極に近く、かつ、前記第３の電極に近いものと判断し、前記第１の電極における電位が前記第２の電極における電位よりも低い場合には、前記２点の接触点のうち、一方の接触点は、他方の接触点に対し、前記第２の電極に近く、かつ、前記第３の電極に近いものと判断することを特徴とする。
【００１８】
また、本発明は、前記第４の測定工程において、前記第１の電極における電位と前記第２の電極における電位が略同じである場合には、前記２点の接触点は、前記一方の方向または前記他方の方向に略平行であるものと判断することを特徴とする。
【００１９】
また、本発明は、前記タッチパネルにおける接触点が２点であると判断された場合において、前記第３の測定工程において、前記第３の電極における電位及び、前記第４の電極における電位の平均値を測定し、前記平均値に基づき前記２点の接触点の中点の前記他方の方向における座標を算出する工程と、前記第４の測定工程において、前記第１の電極における電位及び、前記第２の電極における電位の平均値を測定し、前記平均値に基づき前記２点の接触点の中点の前記一方の方向における座標を算出する工程と、を有することを特徴とする。
【００２０】
また、本発明は、前記第１の測定工程に代えて、前記第２の電極に前記第１の抵抗の一方を接続して、前記第１の抵抗の他方を接地し、前記第１の電極に電源電圧を印加した状態で、前記第２の電極における電位を測定する工程と、前記第２の測定工程に代えて、前記第４の電極に前記第２の抵抗の一方を接続して、前記第２の抵抗の他方を接地し、前記第３の電極に電源電圧を印加した状態で、前記第４の電極における電位を測定する工程と、を有することを特徴とする。
【００２１】
また、本発明は、一方の方向の両端に第１の電極及び第２の電極が設けられた第１の抵抗膜と、前記一方の方向に直交する他方の方向に両端に第３の電極及び第４の電極が設けられた第２の抵抗膜と、前記第１の電極、前記第２の電極、前記第３の電極及び前記第４の電極の各々の測定の制御を行なう制御部と、を有するタッチパネルにおいて、前記制御部は、前記第１の電極に第１の抵抗の一方を接続し、前記第１の抵抗の他方に電源電圧を印加し、前記第２の電極を接地した状態で、前記第１の電極における電位を測定する制御と、前記第３の電極に第２の抵抗の一方を接続し、前記第２の抵抗の他方に電源電圧を印加し、前記第４の電極を接地した状態で、前記第３の電極における電位を測定する制御と、前記第１の電極に電源電圧を印加し、前記第２の電極を接地した状態で、前記第３の電極における電位及び、前記第４の電極における電位を測定する制御と、前記第３の電極に電源電圧を印加し、前記第４の電極を接地した状態で、前記第１の電極における電位及び、前記第２の電極における電位を測定する制御と、を行なうことを特徴とする。
【００２２】
また、本発明は、一方の方向の両端に第１の電極及び第２の電極が設けられた第１の抵抗膜と、前記一方の方向に直交する他方の方向に両端に第３の電極及び第４の電極が設けられた第２の抵抗膜と、前記第１の電極に一方が接続され、他方に電源電圧が印加される第１の抵抗と、前記第３の電極に一方が接続され、他方に電源電圧が印加される第２の抵抗と、を有し、前記第１の抵抗の抵抗値は、前記第１の抵抗膜における第１の電極と第２の電極との間の抵抗値に対し、２５％以上、４００％以下であることを特徴とする。
【００２３】
また、本発明は、一方の方向の両端に第１の電極及び第２の電極が設けられた第１の抵抗膜と、前記一方の方向に直交する他方の方向に両端に第３の電極及び第４の電極が設けられた第２の抵抗膜と、前記第１の電極に一方が接続され、他方に電源電圧が印加される第１の抵抗と、前記第３の電極に一方が接続され、他方に電源電圧が印加される第２の抵抗と、を有し、前記第２の抵抗の抵抗値は、前記第２の抵抗膜における第３の電極と第４の電極との間の抵抗値に対し、２５％以上、４００％以下であることを特徴とする。
【００２４】
また、本発明は、前記第２の抵抗の抵抗値は、前記第２の抵抗膜における第３の電極と第４の電極との間の抵抗値に対し、２５％以上、４００％以下であることを特徴とする。
【００２５】
また、本発明は、前記第１の抵抗は可変抵抗であることを特徴とする。
【００２６】
また、本発明は、前記第２の抵抗は可変抵抗であることを特徴とする。
【００２７】
また、本発明は、前記第１の電極、前記第２の電極、前記第３の電極及び前記第４の電極の各々における電位の測定の制御を行なう制御部を有し、前記第１の抵抗の抵抗値及び前記第２の抵抗の抵抗値は、前記制御部による制御により設定されるものであることを特徴とする。
【００２８】
また、本発明は、一方の方向の両端に第１の電極及び第２の電極が設けられた第１の抵抗膜と、前記一方の方向に直交する他方の方向に両端に第３の電極及び第４の電極が設けられた第２の抵抗膜と、前記第１の電極に一方が接続され、他方に複数の抵抗からなる第１の抵抗群の一方が接続されている第１のスイッチと、を有し、前記第１の抵抗群の他方は電源電圧が印加されており、前記第１の抵抗膜は、前記第１のスイッチにより、前記第１の抵抗群における抵抗のうちいずれか１つを選択して直列に接続されるものであることを特徴とする。
【００２９】
また、本発明は、一方の方向の両端に第１の電極及び第２の電極が設けられた第１の抵抗膜と、前記一方の方向に直交する他方の方向に両端に第３の電極及び第４の電極が設けられた第２の抵抗膜と、前記第３の電極に一方が接続され、他方に複数の抵抗からなる第２の抵抗群の一方が接続されている第２のスイッチと、を有し、前記第２の抵抗群の他方は電源電圧が印加されており、前記第２の抵抗膜は、前記第２のスイッチにより、前記第２の抵抗群における抵抗のうちいずれか１つを選択して直列に接続されるものであることを特徴とする。
【００３０】
また、本発明は、前記第３の電極に一方が接続され、他方に複数の抵抗からなる第２の抵抗群の一方が接続されている第２のスイッチと、を有し、前記第２の抵抗群の他方は電源電圧が印加されており、前記第２の抵抗膜は、前記第２のスイッチにより、前記第２の抵抗群における抵抗のうちいずれか１つを選択して直列に接続されるものであることを特徴とする。
【００３１】
また、本発明は、前記第１の抵抗群より選択される抵抗の抵抗値は、前記第１の抵抗膜における第１の電極と第２の電極との間の抵抗値に対し、２５％以上、４００％以下であることを特徴とする。
【００３２】
また、本発明は、前記第２の抵抗群より選択される抵抗の抵抗値は、前記第２の抵抗膜における第３の電極と第４の電極との間の抵抗値に対し、２５％以上、４００％以下であることを特徴とする。
【００３３】
また、本発明は、前記第１の抵抗は、第１の電極に一方が接続され、他方に電源電圧が印加されるものに代えて、前記第２の電極に一方が接続され、他方が接地されるものであって、前記第２の抵抗は、第３の電極に一方が接続され、他方に電源電圧が印加されるものに代えて、前記第４の電極に一方が接続され、他方が接地されるものであることを特徴とする。
【００３４】
また、本発明は、前記第１の抵抗群は、第１の電極に一方が接続され、他方に電源電圧が印加されるものに代えて、前記第２の電極に一方が接続され、他方が接地されるものであることを特徴とする。
【００３５】
また、本発明は、前記第２の抵抗群は、第３の電極に一方が接続され、他方に電源電圧が印加されるものに代えて、前記第４の電極に一方が接続され、他方が接地されるものであることを特徴とする。
【００３６】
また、本発明は、一方の方向の両端に第１の電極及び第２の電極が設けられた第１の抵抗膜と、前記一方の方向に直交する他方の方向に両端に第３の電極及び第４の電極が設けられた第２の抵抗膜と、前記第１の電極に一方が接続され、他方に電源電圧が印加される第１の抵抗と、前記第３の電極に一方が接続され、他方に電源電圧が印加される第２の抵抗とを有するタッチパネルの初期化方法において、前記タッチパネルに所定の電位が印加された状態で、前記タッチパネル上の２点において接触した状態で電位を測定する工程と、前記測定された電位に基づき、２点の接触点の距離と電位との関係式を算出する工程と、を有することを特徴とする。
【００３７】
また、本発明は、前記電位を測定する工程において、前記２点の接触点は、４点のうち選択されたいずれか２点であって、前記２点の接触点のうち一方の接触点を固定した状態で、他方の接触点を４点のうちの残りの３点について順次選択して接触することにより、前記電位を測定する工程を３回行なうことを特徴とする。
【００３８】
また、本発明は、前記４点は、同一直線上に位置するものであることを特徴とする。
【００３９】
また、本発明は、前記一方の接触点は、前記４点のうちタッチパネルの最も外側に位置する点であることを特徴とする。
【００４０】
また、本発明は、前記タッチパネル上の２点において接触した状態で電位を測定する工程の前に、前記４点を順次接触して、前記４点における座標位置を検出する座標位置検出工程を有することを特徴とする。
【００４１】
また、本発明は、前記４点のうち選択されたいずれか２点であって、前記２点の接触点のうち一方の接触点を固定した状態で、他方の接触点を４点のうちの残りの３点のうち、前記一方の接触点と前記一方の接触点に最も近い接触点との間には、さらに２つの点が設けられており、前記一方の接触点、前記一方の接触点に最も近い接触点、前記さらに２つの点において、前記電位を測定する工程をさらに３回行なうことを特徴とする。
【００４２】
また、本発明は、前記関係式は２次式または３次式であることを特徴とする。
【００４３】
また、本発明は、前記関係式は、前記接触点同士を結ぶ１次式を含むものであることを特徴とする。
【００４４】
また、本発明は、前記タッチパネルは表示装置上に設置されるものであって、前記接触点の位置は前記表示装置に表示されるものであることを特徴とする。
【００４５】
また、本発明は、前記タッチパネルの初期化の際には、前記タッチパネルは表示治具上に設置され、前記表示治具には前記接触点の位置が示されているものであることを特徴とする。
【００４６】
また、本発明は、前記タッチパネルには前記接触点の位置が示されているものであることを特徴とする。
【００４７】
また、本発明は、前記電位を測定する工程は、前記所定の回数、前記電位を測定し、所定の回数における移動平均の値が所定の範囲内である場合において、前記移動平均の値を前記測定された電位とするものであることを特徴とする。
【００４８】
また、本発明は、一方の方向の両端に第１の電極及び第２の電極が設けられた第１の抵抗膜と、前記一方の方向に直交する他方の方向に両端に第３の電極及び第４の電極が設けられた第２の抵抗膜と、前記第１の電極に一方が接続され、他方に電源電圧が印加される第１の抵抗と、前記第３の電極に一方が接続され、他方に電源電圧が印加される第２の抵抗と、を有するタッチパネルにおいて、前記タッチパネルは表示装置上に設置されるものであって、前記タッチパネルに所定の電位が印加された状態で、前記タッチパネル上の２点において接触した状態で電位を測定し、前記測定された電位に基づき２点の接触点と電位との関係式を算出するための接触点が前記表示装置に表示されているものであることを特徴とする。
【００４９】
また、本発明は、一方の方向の両端に第１の電極及び第２の電極が設けられた第１の抵抗膜と、前記一方の方向に直交する他方の方向に両端に第３の電極及び第４の電極が設けられた第２の抵抗膜と、前記第１の電極に一方が接続され、他方に電源電圧が印加される第１の抵抗と、前記第３の電極に一方が接続され、他方に電源電圧が印加される第２の抵抗と、を有するタッチパネルにおいて、前記タッチパネルに所定の電位が印加された状態で、前記タッチパネル上の２点において接触した状態で電位を測定し、前記測定された電位に基づき２点の接触点と電位との関係式を算出するための接触点が示されているものであることを特徴とする。
【００５０】
また、本発明は、前記接触点として示される接触点は、少なくとも４点以上であることを特徴とする。
【発明の効果】
【００５１】
本発明によれば、４線式のタッチパネルにおいて、簡易な方法であって、低コストで、同時に２点で接触した場合においても、各々の座標位置を検出することのできるタッチパネルにおける位置検出方法、タッチパネル、タッチパネルの初期化方法を提供することができる。
【図面の簡単な説明】
【００５２】
【図１】本発明に用いられるタッチパネルの構成図
【図２】第１の実施の形態における位置検出方法のフローチャート
【図３】第１の実施の形態におけるタッチパネルにおいて１点接触の説明図（１）
【図４】第１の実施の形態におけるタッチパネルにおいて１点接触の説明図（２）
【図５】第１の実施の形態におけるタッチパネルにおいて２点接触の説明図（１）
【図６】第１の実施の形態におけるタッチパネルにおいて２点接触の説明図（２）
【図７】タッチパネルの押下点を有限要素法により解析するための説明図
【図８】タッチパネルを有限要素法により解析した説明図（１）
【図９】タッチパネルを有限要素法により解析した説明図（２）
【図１０】タッチパネルを有限要素法により解析した説明図（３）
【図１１】タッチパネルを有限要素法により解析した説明図（４）
【図１２】タッチパネルを有限要素法により解析した説明図（５）
【図１３】タッチパネルを有限要素法により解析した説明図（６）
【図１４】タッチパネルを有限要素法により解析した説明図（７）
【図１５】タッチパネルを有限要素法により解析した説明図（８）
【図１６】第１の実施の形態におけるタッチパネルの位置検出方法の説明図（１）
【図１７】タッチパネルを有限要素法により解析した説明図（９）
【図１８】第１の実施の形態におけるタッチパネルの位置検出方法の説明図（２）
【図１９】タッチパネルを有限要素法により解析した説明図（１０）
【図２０】タッチパネルを有限要素法により解析した説明図（１１）
【図２１】タッチパネルを有限要素法により解析した説明図（１２）
【図２２】タッチパネルを有限要素法により解析した説明図（１３）
【図２３】タッチパネルを有限要素法により解析した説明図（１４）
【図２４】タッチパネルを有限要素法により解析した説明図（１５）
【図２５】タッチパネルを有限要素法により解析した説明図（１６）
【図２６】第１の実施の形態におけるタッチパネルの位置検出方法の説明図（３）
【図２７】タッチパネルを有限要素法により解析した説明図（１７）
【図２８】第１の実施の形態におけるタッチパネルの位置検出方法の説明図（４）
【図２９】タッチパネルを有限要素法により解析した説明図（１８）
【図３０】タッチパネルを有限要素法により解析した説明図（１９）
【図３１】タッチパネルを有限要素法により解析した説明図（２０）
【図３２】２点間の軸方向における距離とＸＨ電極における電位との相関図
【図３３】２点間の軸方向における距離と（基準電位−測定電位）との相関図
【図３４】第２の実施の形態における位置検出方法のフローチャート
【図３５】第２の実施の形態における位置検出方法のサブルーチン（１）
【図３６】第２の実施の形態における位置検出方法のサブルーチン（２）
【図３７】第２の実施の形態における位置検出方法のサブルーチン（３）
【図３８】第２の実施の形態における位置検出方法のサブルーチン（４）
【図３９】第２の実施の形態における位置検出方法のサブルーチン（５）
【図４０】第２の実施の形態における位置検出方法のサブルーチン（６）
【図４１】第２の実施の形態における位置検出方法のサブルーチン（７）
【図４２】第２の実施の形態における位置検出方法のサブルーチン（８）
【図４３】第２の実施の形態における位置検出方法のサブルーチン（９）
【図４４】第２の実施の形態における位置検出方法のサブルーチン（１０）
【図４５】第２の実施の形態における位置検出方法のサブルーチン（１１）
【図４６】第１のタッチパネルにおける接続される抵抗値の比率と電位の差
【図４７】第２のタッチパネルにおける接続される抵抗値の比率と電位の差
【図４８】第３のタッチパネルにおける接続される抵抗値の比率と電位の差
【図４９】第４の実施の形態におけるタッチパネルの構成図
【図５０】第４の実施の形態におけるタッチパネルの説明図
【図５１】第４の実施の形態におけるタッチパネルの抵抗値の設定方法のフローチャート
【図５２】第５の実施の形態におけるタッチパネルの構成図
【図５３】第５の実施の形態における他のタッチパネルの構成図
【図５４】第５の実施の形態におけるタッチパネルの抵抗値の設定方法のフローチャート
【図５５】第６の実施の形態におけるタッチパネルの構成図
【図５６】第６の実施の形態における他のタッチパネルの構成図（１）
【図５７】第６の実施の形態における他のタッチパネルの構成図（２）
【図５８】第６の実施の形態における他のタッチパネルの構成図（３）
【図５９】第７の実施の形態におけるタッチパネルの説明図
【図６０】第７の実施の形態におけるタッチパネルの初期化方法の説明図
【図６１】第７の実施の形態におけるタッチパネルの初期化方法のフローチャート（１）
【図６２】第７の実施の形態におけるタッチパネルの初期化方法のフローチャート（２）
【図６３】第７の実施の形態におけるタッチパネルの初期化方法のフローチャート（３）
【図６４】第７の実施の形態におけるタッチパネルの他の初期化方法の説明図
【図６５】第８の実施の形態におけるタッチパネルの説明図
【図６６】第８の実施の形態における他のタッチパネルの説明図（１）
【図６７】第８の実施の形態における他のタッチパネルの説明図（２）
【発明を実施するための形態】
【００５３】
本発明を実施するための形態について、以下に説明する。尚、同じ部材等については、同一の符号を付して説明を省略する。
【００５４】
〔第１の実施の形態〕
（タッチパネルの構造）
図１に基づき、第１の実施の形態におけるタッチパネルについて説明する。本実施の形態におけるタッチパネルは、ＩＴＯ（Indium Tin Oxide）等の透明導電膜からなる第１の抵抗膜１０と第２の抵抗膜２０を有している。尚、第１の抵抗膜１０と第２の抵抗膜２０とは、ガラス基板や透明フィルム等の表面に形成されていてもよく、この場合においては、第１の抵抗膜１０と第２の抵抗膜２０とが対向するように配置される。第１の抵抗膜１０には、Ｘ軸方向の両端の一方にＸＨ電極１１、他方にＸＬ電極１２がＹ軸方向に沿って形成されている。また、第２の抵抗膜２０には、Ｙ軸方向の両端の一方にＹＨ電極２１、他方にＹＬ電極２２がＸ軸方向に沿って形成されている。
【００５５】
ＸＨ電極１１は、第１の電極となるものであり、電源電位Ｖｃｃに接続されたトランジスタからなるスイッチＳＷ１と、Ｖｃｃに抵抗Ｒｘ１を介し接続されたトランジスタからなるスイッチＳＷ２とに接続されており、また、接地電位に接続されているトランジスタからなるスイッチＳＷ７に抵抗Ｒを介し接続されており、更には、制御部３０内に設けられたＡＤ変換器３１において電位を検出するための電位検出部ＡＤＸ１に接続されている。
【００５６】
ＸＬ電極１２は、第２の電極となるものであり、接地電位に接続されたトランジスタからなるスイッチＳＷ３に接続されており、また、ＡＤ変換器３１において電位を検出するための電位検出部ＡＤＸ２に接続されている。
【００５７】
ＹＨ電極２１は、第３の電極となるものであり、電源電位Ｖｃｃに接続されたトランジスタからなるスイッチＳＷ４と、Ｖｃｃに抵抗Ｒｙ１を介し接続されたトランジスタからなるスイッチＳＷ５とに接続されており、また、制御部３０内に設けられたＡＤ変換器３１において電位を検出するための電位検出部ＡＤＹ１に接続されている。
【００５８】
ＹＬ電極２２は、第４の電極となるものであり、接地電位に接続されたトランジスタからなるスイッチＳＷ６に接続されており、また、ＡＤ変換器３１において電位を検出するための電位検出部ＡＤＹ２に接続されている。
【００５９】
尚、抵抗Ｒｘ１は、第１の抵抗となるものであり、抵抗膜１０におけるＸＨ電極１１とＸＬ電極１２との間の抵抗値と略等しい値の抵抗値を有しており、抵抗Ｒｙ１は、第２の抵抗となるものであり、抵抗膜２０におけるＹＨ電極２１とＹＬ電極２２との間の抵抗値と略等しい値の抵抗値を有している。
【００６０】
スイッチＳＷ１、ＳＷ２、ＳＷ３、ＳＷ４、ＳＷ５、ＳＷ６及びＳＷ７は、制御部３０に設けられたＳＷ１制御端子、ＳＷ２制御端子、ＳＷ３制御端子、ＳＷ４制御端子、ＳＷ５制御端子、ＳＷ６制御端子及びＳＷ７制御端子に接続されている。
【００６１】
尚、制御部３０内には、各種の情報を記憶することのできるメモリ３２が設けられており、また、制御部３０は、表示装置４０に接続されている。
【００６２】
（位置検出方法）
次に、本実施の形態におけるタッチパネルの位置検出方法について説明する。本実施の形態におけるタッチパネルの位置検出方法は、図１に示す構成のタッチパネルにおける位置検出方法であり、図２に基づき説明する。尚、本実施の形態を説明する際に、例として、電源電圧Ｖｃｃについては５Ｖと表現し、接地電位については０Ｖと表現する場合がある。
【００６３】
最初に、ステップ１０２（Ｓ１０２）において、第１のＸ方向電位検出を行なう。具体的には、図１に示されるタッチパネルにおいて、スイッチＳＷ２及びＳＷ３をＯＮとし、これ以外のスイッチをＯＦＦ状態にして、電位検出部ＡＤＸ１において電位を測定する。この状態では、ＸＨ電極１１には抵抗Ｒｘ１を介しＶｃｃの電圧が印加され、ＸＬ電極１２は接地されるため、第１の抵抗膜１０においてＸ軸方向に電位分布が生じている。この状態において電位検出部ＡＤＸ１により電位を測定し、メモリ３２等に検出した電位を情報として記憶する。尚、電位検出部ＡＤＸ１において検出される電位は、第１の抵抗膜１０においてＸＨ電極１１とＸＬ電極１２との間に形成される抵抗成分と、抵抗Ｒｘ１とにより分圧された値となる。また、ステップ１０２を第１の測定工程と称する場合がある。
【００６４】
次に、ステップ１０４（Ｓ１０４）において、第１のＹ方向電位検出を行なう。具体的には、図１に示されるタッチパネルにおいて、スイッチＳＷ５及びＳＷ６をＯＮとし、これ以外のスイッチをＯＦＦにして、電位検出部ＡＤＹ１において電位を測定する。この状態では、ＹＨ電極２１には抵抗Ｒｙ１を介しＶｃｃの電圧が印加され、ＹＬ電極２２は接地されるため、第２の抵抗膜２０においてＹ軸方向に電位分布が生じている。この状態において電位検出部ＡＤＹ１により電位を測定し、メモリ３２等に検出した電位を情報として記憶する。尚、電位検出部ＡＤＹ１において検出される電位は、第２の抵抗膜２０においてＹＨ電極２１とＹＬ電極２２との間に形成される抵抗成分と、抵抗Ｒｙ１とにより分圧された値となる。また、ステップ１０４を第２の測定工程と称する場合がある。
【００６５】
次に、ステップ１０６（Ｓ１０６）において、接触点が１点であるか否かの判断を行なう。具体的には、ステップ１０２において電位検出部ＡＤＸ１で測定した電位及びステップ１０４において電位検出部ＡＤＹ１で測定した電位が、ともにＶｃｃ／２であるか否かを判断することにより、接触点が１点であるか２点であるかの判断を行なう。
【００６６】
より具体的に説明すると、ステップ１０２において、第１の抵抗膜１０と第２の抵抗膜２０との接触点がＡ点の１点のみである場合、図３に示されるように、ＸＨ電極１１とＸＬ電極１２との間における第１の抵抗膜１０の抵抗値は、第１の抵抗膜１０における抵抗成分Ｒ１と抵抗成分Ｒ２とが直列に接続されたものとなり、この直列に接続されたものの抵抗値は抵抗Ｒｘ１の値と略等しい。よって、電位検出部ＡＤＸ１において検出される電位は、Ｖｃｃ／２となる。
【００６７】
また、ステップ１０４において、第１の抵抗膜１０と第２の抵抗膜２０との接触点がＡ点の１点のみである場合、図４に示されるように、ＹＨ電極２１とＹＬ電極２２との間における第２の抵抗膜２０の抵抗値は、第１の抵抗膜１０における抵抗成分Ｒ３と抵抗成分Ｒ４とが直列に接続されたものとなり、この直列に接続されたものの抵抗値は抵抗Ｒｙ１の値と略等しい。よって、電位検出部ＡＤＹ１において検出される電位は、Ｖｃｃ／２となる。
【００６８】
一方、ステップ１０２において、第１の抵抗膜１０と第２の抵抗膜２０との接触点がＡ点とＢ点の２点である場合、図５に示されるように、Ａ点とＢ点の間における抵抗成分は、第１の抵抗膜１０における抵抗成分Ｒ１２と第２の抵抗膜２０における抵抗成分Ｒ２２が並列に接続されたものとなる。よって、ＸＬ電極１２とＢ点との間は第１の抵抗膜１０における抵抗成分Ｒ１１、Ａ点とＢ点との間は抵抗成分Ｒ１２と抵抗成分Ｒ２２とが並列に接続された抵抗成分、Ａ点とＸＨ電極１１との間は第１の抵抗膜１０における抵抗成分Ｒ１３の合成抵抗となる。従って、抵抗成分Ｒ１２と抵抗成分Ｒ２２とが並列に接続された抵抗成分を含むため、この合成抵抗の値は、抵抗Ｒｘ１よりも低くなる。よって、電位検出部ＡＤＸ１において検出される電位は、Ｖｃｃ／２よりも低い電位となる。
【００６９】
また、ステップ１０４において、第１の抵抗膜１０と第２の抵抗膜２０との接触点がＡ点とＢ点の２点である場合、図６に示されるように、Ａ点とＢ点の間における抵抗成分は、第１の抵抗膜１０における抵抗成分Ｒ１２と第２の抵抗膜２０における抵抗成分Ｒ２２が並列に接続されたものとなる。よって、ＹＬ電極２２とＡ点との間は第２の抵抗膜２０における抵抗成分Ｒ２１、Ａ点とＢ点との間は抵抗成分Ｒ１２と抵抗成分Ｒ２２とが並列に接続された抵抗成分、Ｂ点とＹＨ電極２１との間は第２の抵抗膜２０における抵抗成分Ｒ２３の合成抵抗となる。従って、抵抗成分Ｒ１２と抵抗成分Ｒ２２とが並列に接続された抵抗成分を含むため、この合成抵抗の値は、抵抗Ｒｙ１よりも低くなる。よって、電位検出部ＡＤＹ１において検出される電位は、Ｖｃｃ／２よりも低い電位となる。
【００７０】
以上により、ステップ１０２において電位検出部ＡＤＸ１で測定した電位及びステップ１０４において電位検出部ＡＤＹ１で測定した電位が、ともにＶｃｃ／２であるか否かを判断することにより、接触点が１点であるかまたは、２点であるかの判断を行なうことができる。
【００７１】
このことを裏付けるものとして、タッチパネルについて有限要素法により解析した結果を示す。具体的には、図７に示すように正方形の形状のタッチパネルを想定したものであり、Ｘ方向及びＹ方向に１００分割したもののうち、押下点がＸ方向に５、２０、３５、５０、６５、８０、９５番目の位置（以下、これらの位置を５の位置、２０の位置、３５の位置、５０の位置、６５の位置、８０の位置、９５の位置と称する場合がある。）及び、Ｙ方向に５、２０、３５、５０、６５、８０、９５番目の位置（以下、これらの位置を５の位置、２０の位置、３５の位置、５０の位置、６５の位置、８０の位置、９５の位置と称する場合がある。）である場合について解析したものである。尚、間隔または距離等については、各々の位置における値の差を用いて表現する場合がある。
【００７２】
図８は、Ｘ軸方向に電圧を印加した場合、即ち、ＸＨ電極１１に抵抗Ｒｘ１を介し５Ｖの電圧を印加し、ＸＬ電極１２を接地した場合において、タッチパネルにおける２点の接触位置が、Ｙ座標がともに同じ５の位置であって、Ｘ軸方向における間隔を３０、６０、９０と変化させたものである。図８（ａ）は、この状態におけるタッチパネルの２点の接触点の座標位置を示すものであり、図８（ｂ）は、２点間の間隔、即ち、２点間の距離と、電位検出部ＡＤＸ１において検出される電位との関係を示す。
【００７３】
また、図９は、Ｘ軸方向に電圧を印加した場合、即ち、ＸＨ電極１１に抵抗Ｒｘ１を介し５Ｖの電圧を印加し、ＸＬ電極１２を接地した場合において、タッチパネルにおける２点の接触位置が、Ｙ座標がともに同じ５０の位置であって、Ｘ軸方向における間隔を３０、６０、９０と変化させたものである。図９（ａ）は、この状態におけるタッチパネルの２点の接触点の座標位置を示すものであり、図９（ｂ）は、２点間の間隔、即ち、２点間の距離と、電位検出部ＡＤＸ１において検出される電位との関係を示す。
【００７４】
また、図１０は、Ｘ軸方向に電圧を印加した場合、即ち、ＸＨ電極１１に抵抗Ｒｘ１を介し５Ｖの電圧を印加し、ＸＬ電極１２を接地した場合において、タッチパネルにおける２点の接触位置が、Ｙ座標がともに同じ９５の位置であって、Ｘ軸方向における間隔を３０、６０、９０と変化させたものである。図１０（ａ）は、この状態におけるタッチパネルの２点の接触点の座標位置を示すものであり、図１０（ｂ）は、２点間の間隔、即ち、２点間の距離と、電位検出部ＡＤＸ１において検出される電位との関係を示す。
【００７５】
図８から図１０に示されるように、２点の接触位置のＹ座標がともに同じ位置である場合、電位検出部ＡＤＸ１において検出される電位は、印加される電圧の５Ｖの半分以下の電位となり、また、２点間の距離が離れるに伴い、電位検出部ＡＤＸ１において検出される電位は低下する。即ち、電圧が印加されている方向に対し平行方向において接触点である２点間の距離が離れると、電位検出部ＡＤＸ１において検出される電位は低下するのである。このことは、Ｙ軸方向に電圧を印加した場合も同様であり、この場合、電位検出部ＡＤＹ１において検出される電位は低下する。
【００７６】
図１１は、Ｘ軸方向に電圧を印加した場合、即ち、ＸＨ電極１１に抵抗Ｒｘ１を介し５Ｖの電圧を印加し、ＸＬ電極１２を接地した場合において、タッチパネルにおける２点の接触位置が、Ｘ座標がともに同じ５の位置であって、Ｙ軸方向における間隔を３０、６０、９０と変化させたものである。図１１（ａ）は、この状態におけるタッチパネルの２点の接触点の座標位置を示すものであり、図１１（ｂ）は、２点間の間隔、即ち、２点間の距離と、電位検出部ＡＤＸ１において検出される電位との関係を示す。
【００７７】
図１２は、Ｘ軸方向に電圧を印加した場合、即ち、ＸＨ電極１１に抵抗Ｒｘ１を介し５Ｖの電圧を印加し、ＸＬ電極１２を接地した場合において、タッチパネルにおける２点の接触位置が、Ｘ座標がともに同じ５０の位置であって、Ｙ軸方向における間隔を３０、６０、９０と変化させたものである。図１２（ａ）は、この状態におけるタッチパネルの２点の接触点の座標位置を示すものであり、図１２（ｂ）は、２点間の間隔、即ち、２点間の距離と、電位検出部ＡＤＸ１において検出される電位との関係を示す。
【００７８】
図１３は、Ｘ軸方向に電圧を印加した場合、即ち、ＸＨ電極１１に抵抗Ｒｘ１を介し５Ｖの電圧を印加し、ＸＬ電極１２を接地した場合において、タッチパネルにおける２点の接触位置が、Ｘ座標がともに同じ９５の位置であって、Ｙ軸方向における間隔を３０、６０、９０と変化させたものである。図１３（ａ）は、この状態におけるタッチパネルの２点の接触点の座標位置を示すものであり、図１３（ｂ）は、２点間の間隔、即ち、２点間の距離と、電位検出部ＡＤＸ１において検出される電位との関係を示す。
【００７９】
図１１から図１３に示されるように、２点の接触位置のＸ座標がともに同じ位置である場合、電位検出部ＡＤＸ１において検出される電位は、印加された電圧の５Ｖの半分の電位となり、２点間の距離に依存することなく一定のままである。即ち、電圧が印加されている方向に対し垂直方向において接触点である２点間の距離が離れても、電位検出部ＡＤＸ１において検出される電位は変化することなく一定のままである。このことは、Ｙ軸方向に電圧を印加した場合も同様である。この場合、電位検出部ＡＤＹ１において検出される電位は変化することなく一定のままである。
【００８０】
図１４は、Ｘ軸方向に電圧を印加した場合、即ち、ＸＨ電極１１に抵抗Ｒｘ１を介し５Ｖの電圧を印加し、ＸＬ電極１２を接地した場合において、タッチパネルにおける２点の接触位置を斜め方向、即ち、Ｘ軸方向及びＹ軸方向ではない方向であって、右上がりの方向（一方の接触点は他方の接触点よりもＸＬ電極１２及びＹＨ電極２１にともに近い位置となる方向、または、他方の接触点は一方の接触点よりもＸＨ電極１１及びＹＬ電極２２にともに近い位置となる方向）に沿って、２点間のＸ軸方向における間隔を３０、６０、９０と変化させたものである。図１４（ａ）は、この状態におけるタッチパネルの２点の接触点の座標位置を示すものであり、図１４（ｂ）は、Ｘ軸方向における２点間の間隔、即ち、２点間の距離と、電位検出部ＡＤＸ１において検出される電位との関係を示す。
【００８１】
図１５は、Ｘ軸方向に電圧を印加した場合、即ち、ＸＨ電極１１に抵抗Ｒｘ１を介し５Ｖの電圧を印加し、ＸＬ電極１２を接地した場合において、タッチパネルにおける２点の接触位置を斜め方向、即ち、Ｘ軸方向及びＹ軸方向ではない方向であって、左上がりの方向（一方の接触点は他方の接触点よりもＸＨ電極１１及びＹＨ電極２１にともに近い位置となる方向、または、他方の接触点は一方の接触点よりもＸＬ電極１２及びＹＬ電極２２にともに近い位置となる方向）に沿って、２点間のＸ軸方向における間隔を３０、６０、９０と変化させたものである。図１５（ａ）は、この状態におけるタッチパネルの２点の接触点の座標位置を示すものであり、図１５（ｂ）は、Ｘ軸方向における２点間の間隔、即ち、２点間の距離と、電位検出部ＡＤＸ１において検出される電位との関係を示す。
【００８２】
図１４及び図１５に示されるように、２つの接触点がＸ軸方向及びＹ軸方向ではない方向である場合、電位検出部ＡＤＸ１において検出される電位は、印加される電圧の５Ｖの半分以下の電位となり、２点間の距離が離れるに伴い、電位検出部ＡＤＸ１において検出される電位は低下する。即ち、電圧が印加されている方向に対し平行方向でも垂直方向でもない方向において、２点間の距離が離れると、電位検出部ＡＤＸ１において検出される電位は低下するのである。このことは、Ｙ軸方向に電圧を印加した場合も同様であり、この場合、電位検出部ＡＤＹ１において検出される電位は低下する。
【００８３】
具体的には、あらかじめタッチパネルの接触点が０である場合、または、１点である場合において、Ｘ軸方向に電界分布を発生させて電位検出部ＡＤＸ１において初期電位となる電位を測定し、同様に、Ｙ軸方向に電界分布を発生させて電位検出部ＡＤＹ１において初期電位となる電位を測定し、メモリ３２等に記憶させておく。即ち、タッチパネルの接触点が０である場合、または、１点である場合において、図１に示されるタッチパネルにおけるスイッチＳＷ２及びＳＷ３をＯＮとし、これ以外のスイッチをＯＦＦ状態にして、電位検出部ＡＤＸ１において電位を測定する。この状態では、ＸＨ電極１１には抵抗Ｒｘ１を介しＶｃｃの電圧が印加され、ＸＬ電極１２は接地されるため、第１の抵抗膜１０においてＸ軸方向に電位分布が生じている。この状態において電位検出部ＡＤＸ１により電位を測定し、メモリ３２等に検出した電位を初期電位として記憶する。同様に、スイッチＳＷ５及びＳＷ６をＯＮとし、これ以外のスイッチをＯＦＦにして、電位検出部ＡＤＹ１において電位を測定する。この状態では、ＹＨ電極２１には抵抗Ｒｙ１を介しＶｃｃの電圧が印加され、ＹＬ電極２２は接地されるため、第２の抵抗膜２０においてＹ軸方向に電位分布が生じている。この状態において電位検出部ＡＤＹ１により電位を測定し、メモリ３２等に検出した電位を初期電位として記憶する。
【００８４】
この初期電位の値とステップ１０２及び１０４において測定された電位の値とを比較することにより、接触点が１点であるのか２点であるのか、２点である場合には、接触点の２点を結ぶ線分が、Ｘ軸方向に平行であるか、Ｙ軸方向に平行（Ｘ軸方向に垂直）であるか、Ｘ軸方向にもＹ軸方向にも平行ではない方向であるのかの判断を行なうことができる。
【００８５】
具体的には、ステップ１０２において電位検出部ＡＤＸ１により測定された電位が、電位検出部ＡＤＸ１において測定された初期電位と略同じであり、ステップ１０４において電位検出部ＡＤＹ１により測定された電位が、電位検出部ＡＤＹ１において測定された初期電位と略同じである場合には、接触点は１点であるものと判断し、ステップ１０２において電位検出部ＡＤＸ１により測定された電位が、電位検出部ＡＤＸ１において測定された初期電位よりも低く、ステップ１０４において電位検出部ＡＤＹ１により測定された電位が、電位検出部ＡＤＹ１において測定された初期電位と略同じである場合には、接触点である２点を結ぶ線分は、Ｘ軸方向と平行（Ｙ軸方向に垂直）であるものと判断し、ステップ１０２において電位検出部ＡＤＸ１により測定された電位が、電位検出部ＡＤＸ１において測定された初期電位と略同じであり、ステップ１０４において電位検出部ＡＤＹ１により測定された電位が、電位検出部ＡＤＹ１において測定された初期電位よりも低い場合には、接触点である２点を結ぶ線分は、Ｙ軸方向に平行（Ｘ軸方向に垂直）であるものと判断し、ステップ１０２において電位検出部ＡＤＸ１により測定された電位が、電位検出部ＡＤＸ１において測定された初期電位よりも低く、ステップ１０４において電位検出部ＡＤＹ１により測定された電位が、電位検出部ＡＤＹ１において測定された初期電位よりも低い場合には、接触点は、Ｘ軸方向でもＹ軸方向でもない斜め方向において、２点で接触しているものと判断する。
【００８６】
より具体的に説明すると、電位検出部ＡＤＸ１及びＡＤＹ１において測定された初期電位がともに２．５Ｖである場合、ステップ１０２において電位検出部ＡＤＸ１により測定された電位が２．５Ｖであって、ステップ１０４において電位検出部ＡＤＹ１により測定された電位が２．５Ｖである場合には、接触点は１点であるものと判断し、ステップ１０２において電位検出部ＡＤＸ１により測定された電位が２．５Ｖ以下であって、ステップ１０４において電位検出部ＡＤＹ１により測定された電位が２．５Ｖである場合には、接触点である２点を結ぶ線分は、Ｘ軸方向と平行であるものと判断し、ステップ１０２において電位検出部ＡＤＸ１により測定された電位が２．５Ｖであって、ステップ１０４において電位検出部ＡＤＹ１により測定された電位が２．５Ｖ以下である場合には、接触点である２点を結ぶ線分は、Ｙ軸方向と平行（Ｘ軸方向に垂直）であるものと判断し、ステップ１０２において電位検出部ＡＤＸ１により測定された電位が２．５Ｖ以下であって、ステップ１０４において電位検出部ＡＤＹ１により測定された電位が２．５Ｖ以下である場合には、接触点である２点を結ぶ線分は、Ｘ軸方向でもＹ軸方向でもない斜め方向であるものと判断する。
【００８７】
これにより、接触点が１点であるのか２点であるのか、２点である場合には、接触点の２点を結ぶ線分が、Ｘ軸方向に平行であるか、Ｙ軸方向に平行（Ｘ軸方向に垂直）であるか、Ｘ軸方向にもＹ軸方向にも平行ではない方向であるのかの判断を行なうことができる。
【００８８】
また、初期電位を測定することなく同様の判断を行なう別の方法としては、電位検出部ＡＤＸ１において検出される電位が２．５Ｖであって、電位検出部ＡＤＹ１において検出される電位が２．５Ｖである場合は、接触点が１点であると判断することができる。また、電位検出部ＡＤＸ１において検出される電位が２．５Ｖであって、電位検出部ＡＤＹ１において検出される電位が２．５Ｖ以下である場合は、接触点は、Ｙ軸方向に平行な方向において、２点で接触しているものと判断することができる。また、電位検出部ＡＤＸ１において検出される電位が２．５Ｖ以下であって、電位検出部ＡＤＹ１において検出される電位が２．５Ｖである場合は、接触点は、Ｘ軸方向に平行な方向において、２点で接触しているものと判断することができる。更に、電位検出部ＡＤＸ１において検出される電位が２．５Ｖ以下であって、電位検出部ＡＤＹ１において検出される電位が２．５Ｖ以下である場合は、接触点は、Ｘ軸方向でもＹ軸方向でもない斜め方向において、２点で接触しているものと判断することができる。
【００８９】
以上の内容に基づきステップ１０６では、本実施の形態におけるタッチパネルの接触点が１点であるか２点であるか判断することができる。尚、２．５Ｖであるか、２．５Ｖ以下であるかの判断については、２．５Ｖを基準として所定の範囲を定めるための閾値を設定し、測定された電位が所定の範囲内であれば、電位は２．５Ｖであるものと判断し、所定の範囲を超える場合には、電位は２．５Ｖ以下であるものと判断する。尚、これらの判断された情報については、必要に応じて制御部３０におけるメモリ３２等に記憶される。
【００９０】
ステップ１０６において、タッチパネルの接触点が１点であるものと判断した場合には、ステップ１０８に移行し、また、接触点が２点であるものと判断した場合には、ステップ１１０に移行する。
【００９１】
次に、ステップ１０８（Ｓ１０８）において、タッチパネルの接触点が１点である場合における接触点の位置座標が検出される。この位置座標の検出は接触点が１点であるため、通常の位置検出方法により接触点における座標位置の検出を行なうことができる。例えば、ＸＨ電極１１に５Ｖの電位を印加し、ＸＬ電極１２を接地した状態で、電位検出部ＡＤＹ１等によりＸ軸方向における電位を検出し、この電位に基づいて接触点のＸ座標における位置を検出する。また、ＹＨ電極２１に５Ｖの電位を印加し、ＹＬ電極２２を接地した状態で、電位検出部ＡＤＸ１等によりＹ軸方向における電位を検出し、この電位に基づいて接触点のＹ座標における位置を検出する。
【００９２】
次に、ステップ１１０（Ｓ１１０）において、第２のＸ方向電位検出を行なう。具体的には、図１に示されるタッチパネルにおいて、スイッチＳＷ１及びＳＷ３をＯＮとし、これ以外のスイッチをＯＦＦ状態にして、電位検出部ＡＤＹ１及びＡＤＹ２において電位を測定する。この状態では、ＸＨ電極１１にＶｃｃの電圧が印加され、ＸＬ電極１２は接地されるため、第１の抵抗膜１０においてＸ軸方向に電位分布が生じている。この状態で電位検出部ＡＤＹ１及びＡＤＹ２において電位を測定し、メモリ３２等に検出した電位を情報として記憶する。尚、ステップ１１０を第３の測定工程と称する場合がある。
【００９３】
次に、ステップ１１２（Ｓ１１２）において、第２のＹ方向電位検出を行なう。具体的には、図１に示されるタッチパネルにおいて、スイッチＳＷ４及びＳＷ６をＯＮとし、これ以外のスイッチをＯＦＦ状態にして、電位検出部ＡＤＸ１及びＡＤＸ２において電位を測定する。この状態では、ＹＨ電極２１にＶｃｃの電圧が印加され、ＹＬ電極２２は接地されるため、第２の抵抗膜２０においてＹ軸方向に電位分布が生じている。この状態で電位検出部ＡＤＸ１及びＡＤＸ２において電位を測定し、メモリ３２等に検出した電位を情報として記憶する。尚、ステップ１１２を第４の測定工程と称する場合がある。
【００９４】
次に、ステップ１１４（Ｓ１１４）において、タッチパネルにおいて接触している２点を結ぶ線分の傾きを検出する。具体的には、タッチパネルに接触している２点を結ぶ線分が、Ｘ軸方向またはＹ軸方向に平行であるか否か、また、平行でない場合には、右上がりの傾きか左上がりの傾きかを判断する。即ち、前述のとおり、あらかじめタッチパネルの接触点が０である場合、または、１点である場合において、Ｘ軸方向に電界分布を発生させて電位検出部ＡＤＸ１において初期電位となる電位を測定し、同様に、Ｙ軸方向に電界分布を発生させて電位検出部ＡＤＹ１において初期電位となる電位を測定し、メモリ３２等に記憶させておく。具体的には、タッチパネルの接触点が０である場合、または、１点である場合において、図１に示されるタッチパネルにおけるスイッチＳＷ２及びＳＷ３をＯＮとし、これ以外のスイッチをＯＦＦ状態にして、電位検出部ＡＤＸ１において電位を測定する。この状態では、ＸＨ電極１１には抵抗Ｒｘ１を介しＶｃｃの電圧が印加され、ＸＬ電極１２は接地されるため、第１の抵抗膜１０においてＸ軸方向に電位分布が生じている。この状態において電位検出部ＡＤＸ１により電位を測定し、メモリ３２等に検出した電位を初期電位として記憶する。同様に、スイッチＳＷ５及びＳＷ６をＯＮとし、これ以外のスイッチをＯＦＦにして、電位検出部ＡＤＹ１において電位を測定する。この状態では、ＹＨ電極２１には抵抗Ｒｙ１を介しＶｃｃの電圧が印加され、ＹＬ電極２２は接地されるため、第２の抵抗膜２０においてＹ軸方向に電位分布が生じている。この状態において電位検出部ＡＤＹ１により電位を測定し、メモリ３２等に検出した電位を初期電位として記憶する。
【００９５】
この初期電位の値とステップ１０２及び１０４において測定された電位の値とを比較することにより、接触点の２点を結ぶ線分が、Ｘ軸方向に平行であるか、Ｙ軸方向に平行（Ｘ軸方向に垂直）であるかの判断を行なうことができる。
【００９６】
具体的には、ステップ１０２において電位検出部ＡＤＸ１により測定された電位が、電位検出部ＡＤＸ１において測定された初期電位よりも低く、ステップ１０４において電位検出部ＡＤＹ１により測定された電位が、電位検出部ＡＤＹ１において測定された初期電位と略同じである場合には、接触点である２点を結ぶ線分は、Ｘ軸方向と平行（Ｙ軸方向に垂直）であるものと判断し、ステップ１０２において電位検出部ＡＤＸ１により測定された電位が、電位検出部ＡＤＸ１において測定された初期電位と略同じであり、ステップ１０４において電位検出部ＡＤＹ１により測定された電位が、電位検出部ＡＤＹ１において測定された初期電位よりも低い場合には、接触点である２点を結ぶ線分は、Ｙ軸方向に平行（Ｘ軸方向に垂直）であるものと判断することができる。この場合、ステップ１０２において電位検出部ＡＤＸ１により測定された電位が、電位検出部ＡＤＸ１において測定された初期電位よりも低く、ステップ１０４において電位検出部ＡＤＹ１により測定された電位が、電位検出部ＡＤＹ１において測定された初期電位よりも低い場合には、接触点は、Ｘ軸方向でもＹ軸方向でもない斜め方向において、２点で接触しているものと判断することもできる。
【００９７】
より具体的に説明すると、ステップ１０２において電位検出部ＡＤＸ１により測定された電位が２．５Ｖ以下であって、ステップ１０４において電位検出部ＡＤＹ１により測定された電位が２．５Ｖである場合には、接触点である２点を結ぶ線分は、Ｘ軸方向と平行であるものと判断し、ステップ１０２において電位検出部ＡＤＸ１により測定された電位が２．５Ｖであって、ステップ１０４において電位検出部ＡＤＹ１により測定された電位が２．５Ｖ以下である場合には、接触点である２点を結ぶ線分は、Ｙ軸方向と平行（Ｘ軸方向に垂直）であるものと判断する。この場合、ステップ１０２において電位検出部ＡＤＸ１により測定された電位が２．５Ｖ以下であって、ステップ１０４において電位検出部ＡＤＹ１により測定された電位が２．５Ｖ以下である場合には、接触点である２点を結ぶ線分は、Ｘ軸方向でもＹ軸方向でもない斜め方向であるものと判断することもできる。
【００９８】
これにより、接触点である２点を結ぶ線分がＸ軸方向に平行であるかＹ軸方向に平行であるかを判断することができる。
【００９９】
また、初期電位を測定することなく同様の判断を行なう別の方法としては、電位検出部ＡＤＸ１において検出される電位が２．５Ｖであって、電位検出部ＡＤＹ１において検出される電位が２．５Ｖ以下である場合、即ち、電位検出部ＡＤＸ１において検出される電位よりも、電位検出部ＡＤＹ１において検出される電位が低い場合は、接触点は、Ｙ軸方向に平行な方向において、２点で接触しているものと判断することができる。また、電位検出部ＡＤＸ１において検出される電位が２．５Ｖ以下であって、電位検出部ＡＤＹ１において検出される電位が２．５Ｖである場合、即ち、電位検出部ＡＤＸ１において検出される電位よりも、電位検出部ＡＤＹ１において検出される電位が高い場合は、接触点は、Ｘ軸方向に平行な方向において、２点で接触しているものと判断することができる。
【０１００】
線分が平行でない場合については、具体的には、ステップ１１０において、図１６に示されるようにタッチパネルにおける接触点の２点であるＡ点とＢ点とでは、Ｂ点がＡ点よりもＸＬ電極１２及びＹＨ電極２１にともに近い場合、電位検出部ＡＤＹ１及びＡＤＹ２において検出される電位については、図１７に示すように電位検出部ＡＤＹ２において得られる電位が、電位検出部ＡＤＹ１において得られる電位よりも高くなる。
【０１０１】
図１７は、Ｘ軸方向に電圧を印加した場合、即ち、ＸＨ電極１１に５Ｖの電圧を印加し、ＸＬ電極１２を接地した場合であって、タッチパネルにおける２点の接触位置が、一定間隔の右上がりの直線上にある場合において、接触位置を変化させたものである。図１７（ａ）は、この状態におけるタッチパネルの２点の接触点の座標位置を示すものであり、図１７（ｂ）は、２点の中点におけるＸ座標の位置と、電位検出部ＡＤＹ１及びＡＤＹ２において検出される電位との関係を示す。
【０１０２】
これは、Ａ点は、第１の抵抗膜１０において５Ｖの電位が印加されているＸＨ電極１１に近いため、この影響を強く受け、Ａ点に近い第２の抵抗膜２０におけるＹＬ電極２２に接続されている電位検出部ＡＤＹ２では比較的高い電位が検出されやすく、Ｂ点は、第１の抵抗膜１０において接地されているＸＬ電極１２に近いため、この影響を強く受け、Ｂ点に近い第２の抵抗膜２０におけるＹＨ電極２１に接続されている電位検出部ＡＤＹ１では、比較的低い電位が検出されやすくなるためであるものと推認される。
【０１０３】
一方、ステップ１１０において、図１８に示されるようにタッチパネルにおける接触点の２点であるＡ点とＢ点とでは、Ａ点がＢ点よりもＸＨ電極１１及びＹＨ電極２１にともに近い場合、電位検出部ＡＤＹ１及びＡＤＹ２において検出される電位は、図１９に示すように電位検出部ＡＤＹ２において得られる電位が、電位検出部ＡＤＹ１において得られる電位よりも低くなる。
【０１０４】
図１９は、Ｘ軸方向に電圧を印加した場合、即ち、ＸＨ電極１１に５Ｖの電圧を印加し、ＸＬ電極１２を接地した場合であって、タッチパネルにおける２点の接触位置が、一定間隔の左上がりの直線上にある場合において、接触位置を変化させたものである。図１９（ａ）は、この状態におけるタッチパネルの２点の接触点の位置を示すものであり、図１９（ｂ）は、２点の中点におけるＸ座標の位置と、電位検出部ＡＤＹ１及びＡＤＹ２において検出される電位との関係を示す。
【０１０５】
これは、Ａ点は、第１の抵抗膜１０において５Ｖの電位が印加されているＸＨ電極１１に近いため、この影響を強く受け、Ａ点に近い第２の抵抗膜２０におけるＹＨ電極２１に接続されている電位検出部ＡＤＹ１では比較的高い電位が検出されやすく、Ｂ点は、第１の抵抗膜１０において接地されているＸＬ電極１２に近いため、この影響を強く受け、Ｂ点に近い第２の抵抗膜２０におけるＹＬ電極２２に接続されている電位検出部ＡＤＹ２では、比較的低い電位が検出されやすくなるためであるものと推認される。
【０１０６】
以上により、タッチパネルに接触されている２点を結ぶ線分の傾きが、右上がりであるのか、左上がりであるのか判断することができる。
【０１０７】
また、ステップ１１０において検出された電位に基づき、接触している２点がＸ軸方向に平行である場合、Ｙ軸方向に平行である場合であるかについても判断することができる。
【０１０８】
具体的には、電圧の印加方向であるＸ軸方向に平行な位置で２点が接触している場合及び、電圧の印加方向に垂直なＹ軸方向に平行な位置で２点が接触している場合には、電位検出部ＡＤＹ１及びＡＤＹ２において検出される電位の値は、後述するように等しくなるため、電位検出部ＡＤＹ１及びＡＤＹ２において検出される電位の値が等しい場合には、タッチパネルにおける２点の接触位置は、Ｘ軸方向に平行であるものまたは、Ｙ軸方向に平行であるものと判断することができる。
【０１０９】
図２０は、Ｘ軸方向に電圧を印加した場合、即ち、ＸＨ電極１１に５Ｖの電圧を印加し、ＸＬ電極１２を接地した場合において、タッチパネルにおける２点の接触位置のＹ座標が同じ座標位置であって、２点の接触位置におけるＸ軸方向の間隔が９０となるように一定とした場合（２点の接触位置のＸ座標が５の位置と９５の位置である場合）において、Ｙ座標における座標位置を変化させたものである。図２０（ａ）は、この状態におけるタッチパネルの２点の接触点の座標位置を示すものであり、図２０（ｂ）は、接触点におけるＹ座標の位置と電位検出部ＡＤＹ１及びＡＤＹ２において検出される電位との関係を示す。
【０１１０】
また、図２１は、Ｘ軸方向に電圧を印加した場合、即ち、ＸＨ電極１１に５Ｖの電圧を印加し、ＸＬ電極１２を接地した場合において、タッチパネルにおける２点の接触位置のＹ座標が同じ座標位置であって、２点の接触位置におけるＸ軸方向の間隔が１５となるように一定とした場合（２点の接触位置のＸ座標が２０の位置と３５の位置である場合）において、Ｙ座標における座標位置を変化させたものである。図２１（ａ）は、この状態におけるタッチパネルの２点の接触点の座標位置を示すものであり、図２１（ｂ）は、接触点におけるＹ座標の位置と電位検出部ＡＤＹ１及びＡＤＹ２において検出される電位との関係を示す。
【０１１１】
また、図２２は、Ｘ軸方向に電圧を印加した場合、即ち、ＸＨ電極１１に５Ｖの電圧を印加し、ＸＬ電極１２を接地した場合において、タッチパネルにおける２点の接触位置のＹ座標が同じ座標位置であって、２点の接触位置におけるＸ軸方向の間隔が１５となるように一定とした場合（２点の接触位置のＸ座標が６５の位置と８０の位置である場合）において、Ｙ座標における座標位置を変化させたものである。図２２（ａ）は、この状態におけるタッチパネルの２点の接触点の座標位置を示すものであり、図２２（ｂ）は、接触点におけるＹ座標の位置と電位検出部ＡＤＹ１及びＡＤＹ２において検出される電位との関係を示す。
【０１１２】
図２０から図２２に示されるように、２点の接触位置のＹ座標がともに同じ位置である場合、電位検出部ＡＤＹ１及びＡＤＹ２において検出される電位は、ともに同じ値であり、この値はＡ点とＢ点との中点に対応する電位となる。例えば、図２０の場合は、中点のＸ座標の位置が５０の位置であるため、印加される電圧の５Ｖの電位の半分の２．５Ｖの値が、電位検出部ＡＤＹ１及びＡＤＹ２において検出される。また、図２１の場合は、中点のＸ座標の位置が２７．５に相当する位置となり、図２２の場合は、中点のＸ座標の位置が７２．５に相当する位置となり、これらの位置に相当する電位が、電位検出部ＡＤＹ１及びＡＤＹ２において検出される。
【０１１３】
また、図２３は、Ｘ軸方向に電圧を印加した場合、即ち、ＸＨ電極１１に５Ｖの電圧を印加し、ＸＬ電極１２を接地した場合において、タッチパネルにおける２点の接触位置のＸ座標が同じ座標位置であって、２点の接触位置のＹ軸方向における間隔を９０となるように一定とした場合（２点の接触位置のＹ座標が５の位置と９５の位置である場合）において、Ｘ座標における座標位置を変化させたものである。図２３（ａ）は、この状態におけるタッチパネルの２点の接触点の座標位置を示すものであり、図２３（ｂ）は、接触点におけるＸ座標の位置と電位検出部ＡＤＹ１及びＡＤＹ２において検出される電位との関係を示す。
【０１１４】
また、図２４は、Ｘ軸方向に電圧を印加した場合、即ち、ＸＨ電極１１に５Ｖの電圧を印加し、ＸＬ電極１２を接地した場合において、タッチパネルにおける２点の接触位置のＸ座標が同じ座標位置であって、２点の接触位置のＹ軸方向における間隔を１５となるように一定とした場合（２点の接触位置のＹ座標が６５の位置と８０の位置である場合）において、Ｘ座標における座標位置を変化させたものである。図２４（ａ）は、この状態におけるタッチパネルの２点の接触点の座標位置を示すものであり、図２４（ｂ）は、接触点におけるＸ座標の位置と電位検出部ＡＤＹ１及びＡＤＹ２において検出される電位との関係を示す。
【０１１５】
また、図２５は、Ｘ軸方向に電圧を印加した場合、即ち、ＸＨ電極１１に５Ｖの電圧を印加し、ＸＬ電極１２を接地した場合において、タッチパネルにおける２点の接触位置のＸ座標が同じ座標位置であって、２点の接触位置のＹ軸方向における間隔を１５となるように一定とした場合（２点の接触位置のＹ座標が２０の位置と３５の位置である場合）において、Ｘ座標における座標位置を変化させたものである。図２５（ａ）は、この状態におけるタッチパネルの２点の接触点の座標位置を示すものであり、図２５（ｂ）は、接触点におけるＸ座標の位置と電位検出部ＡＤＹ１及びＡＤＹ２において検出される電位との関係を示す。
【０１１６】
図２３から図２５に示されるように、２点の接触位置のＹ座標がともに同じ座標位置である場合、電位検出部ＡＤＹ１及びＡＤＹ２において検出される電位は、ともに同じ値であり、Ａ点とＢ点とにおけるＸ座標に対応する電位が検出される。即ち、Ｙ軸方向に平行な方向において２点が接触している場合、Ａ点とＢ点との間隔に依存することなく、Ａ点とＢ点とのＸ座標に対応する電位が、電位検出部ＡＤＹ１及びＡＤＹ２において検出される。
【０１１７】
以上、Ｘ軸方向に電圧を印加した場合について説明したが、Ｙ軸方向に電圧を印加した場合においても同様の方法により、タッチパネルに接触している２点を結ぶ線分がＸ軸方向及びＹ軸方向に平行であるか否かを判断することができる。
【０１１８】
以上より、電位検出部ＡＤＹ１及びＡＤＹ２において検出される電位が同じ値であるか否かにより、タッチパネルにおける２点の接触点が、ステップ１０２において電位検出部ＡＤＸ１において検出される電位及びステップ１０４において電位検出部ＡＤＹ１において検出される電位に基づき、Ｘ軸方向またはＹ軸方向に平行であるか否かを判断することができ、電位検出部ＡＤＹ１及びＡＤＹ２において検出される電位の大小関係により、接触している２点を結ぶ線分の傾きが、いわゆる右上がりの傾きか、左上がりの傾きかを判断することができる。
【０１１９】
即ち、電位検出部ＡＤＹ１において検出された電位が、電位検出部ＡＤＹ２において検出された電位よりも低い電位である場合、２点を結ぶ線分の傾きは右上がりであるものと判断される。また、電位検出部ＡＤＹ１において検出された電位が、電位検出部ＡＤＹ２において検出された電位よりも高い電位である場合、２点を結ぶ線分の傾きは左上がりであるものと判断される。また、電位検出部ＡＤＹ１において検出された電位と電位検出部ＡＤＹ２において検出された電位とが等しい場合には、２点を結ぶ線分はＸ軸方向またはＹ軸方向に平行であるものと判断される。
【０１２０】
尚、タッチパネルにおける２点の接触点が、Ｘ軸方向またはＹ軸方向に平行であるか否かの判断については、ステップ１１０及び１１２において検出された電位、即ち、第３の測定工程及び第４の測定工程において得られる情報に基づき判断する場合について説明したが、ステップ１０２及び１０４において検出された電位、即ち、第１の測定工程及び第２の測定工程において得られる情報に基づき判断することも可能である。
【０１２１】
また、タッチパネルにおける２点の接触点を結ぶ線分の傾きが、いわゆる右上がりであるか、左上がりであるかの判断を行なう場合に、Ｘ軸方向に電圧を印加した場合について説明したが、Ｙ軸方向に電圧を印加した場合についても同様に行なうことができる。
【０１２２】
具体的には、図２６に示されるようにＹＨ電極２１にＶｃｃ（５Ｖ）の電圧を印加し、ＹＬ電極２２を接地（０Ｖ）した場合において、タッチパネルにおける接触点の２点であるＡ点とＢ点とでは、Ａ点がＢ点よりもＸＨ電極１１及びＹＬ電極２２に近い場合、電位検出部ＡＤＸ１及びＡＤＸ２において検出される電位は、図２７に示すように電位検出部ＡＤＸ２において得られる電位が、電位検出部ＡＤＸ１において得られる電位よりも高くなる。
【０１２３】
尚、図２７は、Ｙ軸方向に電圧を印加した場合、即ち、ＹＨ電極２１に５Ｖの電圧を印加し、ＹＬ電極２２を接地した場合であって、タッチパネルにおける２点の接触位置が、一定間隔の右上がりの直線上にある場合において、接触位置を変化させたものである。図２７（ａ）は、この状態におけるタッチパネルの２点の接触点の座標位置を示すものであり、図２７（ｂ）は、２点の中点におけるＸ座標と電位検出部ＡＤＸ１及びＡＤＸ２において検出される電位との関係を示す。
【０１２４】
これは、Ａ点は、第２の抵抗膜２０において接地されているＹＬ電極２２に近いため、この影響を強く受け、Ａ点に近い第１の抵抗膜１０におけるＸＨ電極１１に接続されている電位検出部ＡＤＸ１では比較的低い電位が検出されやすく、Ｂ点は、第２の抵抗膜２０において５Ｖの電位が印加されているＹＨ電極２１に近いため、この影響を強く受け、Ｂ点に近い第１の抵抗膜２０におけるＸＬ電極１２に接続されている電位検出部ＡＤＸ２では比較的高い電位が検出されやすくなるためであるものと推認される。
【０１２５】
また、図２８に示されるようにＹＨ電極２１にＶｃｃ（５Ｖ）の電圧を印加し、ＹＬ電極２２を接地（０Ｖ）した場合において、タッチパネルにおける接触点の２点であるＡ点とＢ点とでは、Ａ点がＢ点よりもＸＨ電極１１及びＹＨ電極２１に近い場合、電位検出部ＡＤＸ１及びＡＤＸ２において検出される電位は、図２９に示すように電位検出部ＡＤＸ２において得られる電位が、電位検出部ＡＤＸ１において得られる電位よりも低くなる。
【０１２６】
尚、図２９は、Ｙ軸方向に電圧を印加した場合、即ち、ＹＨ電極２１に５Ｖの電圧を印加し、ＹＬ電極２２を接地した場合であって、タッチパネルにおける２点の接触位置が、一定間隔の左上がりの直線上にある場合において、接触位置を変化させたものである。図２９（ａ）は、この状態におけるタッチパネルの２点の接触点の座標位置を示すものであり、図２９（ｂ）は、２点の中点におけるＸ座標の位置と電位検出部ＡＤＸ１及びＡＤＸ２において検出される電位との関係を示す。
【０１２７】
これは、Ａ点は、第２の抵抗膜２０において５Ｖの電位が印加されているＹＨ電極２１に近いため、この影響を強く受け、Ａ点に近い第１の抵抗膜１０におけるＸＨ電極１１に接続されている電位検出部ＡＤＸ１では比較的高い電位が検出されやすく、Ｂ点は、第２の抵抗膜２０において接地されているＹＬ電極２２に近いため、この影響を強く受け、Ｂ点に近い第１の抵抗膜１０におけるＸＬ電極１２に接続されている電位検出部ＡＤＸ２では比較的低い電位が検出されやすくなるためであるものと推認される。
【０１２８】
このようにＸ軸方向に電圧を印加した場合においても、同様にタッチパネルにおける２点で接触している場合の２点の接触点を結ぶ線分が右上がりであるか左上がりであるか判断することができる。
【０１２９】
次に、ステップ１１６（Ｓ１１６）に示すように、タッチパネルに接触している２点の中点を算出する。具体的には、ステップ１１０及びステップ１１２において測定した電位（第３の測定工程及び第４の測定工程において測定した電位）に基づき、各々の電位の中点を算出することにより、タッチパネルに接触している２点の座標の中点を算出する。
【０１３０】
このことを、図３０及び図３１に基づき説明する。
【０１３１】
図３０は、Ｘ軸方向に電圧を印加した場合、即ち、ＸＨ電極１１に５Ｖの電圧を印加し、ＸＬ電極１２を接地した場合であって、タッチパネルにおける２点の接触位置が、右上がりの直線上に存在している場合において、２点の接触点の中点が５０の位置となるように間隔を変化させた場合を示すものである。図３０（ａ）は、この状態におけるタッチパネルの２点の接触点の座標位置を示すものであり、図３０（ｂ）は、Ｘ座標における２点間の距離（またはＹ座標における２点間の距離）と、電位検出部ＡＤＹ１及びＡＤＹ２において検出される電位及びこれらの平均との関係を示す。
【０１３２】
図３１は、Ｘ軸方向に電圧を印加した場合、即ち、ＸＨ電極１１に５Ｖの電圧を印加し、ＸＬ電極１２を接地した場合であって、タッチパネルにおける２点の接触位置が、左上がりの直線上に存在している場合において、２点の接触点の中点が５０の位置となるように間隔を変化させた場合を示すものである。図３１（ａ）は、この状態におけるタッチパネルの２点の接触点の座標位置を示すものであり、図３１（ｂ）は、Ｘ座標における２点間の距離（またはＹ座標における２点間の距離）と、電位検出部ＡＤＹ１及びＡＤＹ２において検出される電位及びこれらの平均との関係を示す。
【０１３３】
図３０及び図３１に示されるように、２点間の間隔が広がるに従い、電位検出部ＡＤＹ１において検出される電位と電位検出部ＡＤＹ２において検出される電位の差は広がる傾向にある。しかしながら、電位検出部ＡＤＹ１において検出される電位と電位検出部ＡＤＹ２において検出される電位との平均は一定の値を示しており、この値はタッチパネルの２点の接触点の中点の値を示す。
【０１３４】
よって、電位検出部ＡＤＹ１において検出される電位と電位検出部ＡＤＹ２において検出される電位との平均値を算出することにより、タッチパネルの２点の接触点の中点のＸ座標に対応する電位を得ることができ、この電位に基づき中点のＸ座標を得ることができる。
【０１３５】
図３０及び図３１は、タッチパネルに接触している２点の接触点の中点のＸ座標を算出する場合について説明したが、Ｙ軸方向に電圧を印加した場合、即ち、ＹＨ電極２１に５Ｖの電圧を印加し、ＹＬ電極２２を接地した場合において、電位検出部ＡＤＸ１及びＡＤＸ２において電位を検出することにより、この電位に基づき、同様にタッチパネルに接触している２点の接触点の中点のＹ座標を得ることができる。
【０１３６】
以上により、タッチパネルに接触している２点の接触点の中点の座標を得ることができる。
【０１３７】
次に、ステップ１１８（Ｓ１１８）において、タッチパネルに接触している２点間の距離を算出する。具体的には、ステップ１０２及びステップ１０４において測定した電位（第１の測定工程及び第２の測定工程において測定された電位）に基づき、タッチパネルに接触している２点間の距離を算出する。
【０１３８】
このことを図３２に基づき説明する。図３２は、ステップ１０２における状態、即ち、図５に示される状態における２点間のＸ座標における距離とＸＨ電極１１に接続されている電位検出部ＡＤＸ１において検出される電位との関係を示すものである。図に示されるように、２点間の距離が広がるに従い、電位検出部ＡＤＸ１において検出される電位の値は低下する。また、電圧が印加されている方向と平行な方向、即ち、Ｘ軸方向に平行な方向に２点が存在している場合と、Ｘ軸方向に平行な方向に２点が存在していない場合、即ち、右上がりの方向または左上がりの方向に２点が存在している場合とでは、２点間の距離と電位検出部ＡＤＸ１において検出される電位との関係は異なる。
【０１３９】
よって、ステップ１１４において検出したタッチパネルに接触している２点の位置関係、即ち、Ｘ軸方向に平行な方向に２点が存在しているか否かに対応して、図３２に示す２点間の距離と、ステップ１０２において電位検出部ＡＤＸ１において検出された電位との関係を選択し、選択された関係に基づきＸ軸方向における２点間の距離を得ることができる。
【０１４０】
具体的には、タッチパネルの２点の接触点がＸ軸方向に平行な方向の直線上に存在している場合には、図３２における線３２Ａに示す曲線を用いて、ステップ１０２において電位検出部ＡＤＸ１において検出された電位に基づき２点におけるＸ軸方向における距離が算出することができる。また、タッチパネルの２点の接触点がＸ軸方向に平行な方向となる直線上には存在していない場合、即ち、タッチパネルの２点の接触点が右上がりまたは左上がりの直線上に存在している場合には、図３２における線３２Ｂに示す曲線を用いて、ステップ１０２において電位検出部ＡＤＸ１において検出された電位に基づき２点におけるＸ軸方向における距離等を算出することができる。
【０１４１】
尚、図３３は、２．５Ｖと電位検出部ＡＤＸ１等において検出される電位との差と、Ｘ軸方向における２点間の距離との関係を示すものであり、同様に、この相関関係に基づき、２．５Ｖと電位検出部ＡＤＸ１等において検出される電位との差より、Ｘ軸方向における距離を得ることができる。
【０１４２】
Ｙ軸方向における距離についても、上記と同様の方法により、ステップ１０４において電位検出部ＡＤＹ１において検出された電位に基づき得ることができる。
【０１４３】
尚、２．５Ｖからの電圧の差Ｖと各々の軸方向における距離Ｌ１〜Ｌ４（尚、距離Ｌ１〜Ｌ４は、Ｘ軸方向における距離Ｌｘ、Ｙ軸方向における距離Ｌｙと表現する場合がある。）との関係を数１に示す。この数１に示す式を用いて各々の軸方向における距離Ｌを算出してもよい。尚、下記のα１〜α８、β１〜β８、γ１〜γ８、δ５〜δ８は、図３２または図３３に基づきあらかじめ算出されていてもよく、また、実験等により定めてもよい。更には、これらの値は制御部３０等に記憶させておいてもよい。
【０１４４】
【数１】
0005642500.tif 000002
【０１４５】
また、数２に示す３次式を用いて算出することも可能である。
【０１４６】
【数２】
0005642500.tif 000003
【０１４７】
次に、ステップ１２０（Ｓ１２０）において、タッチパネルに接触している２点の位置座標を算出する。
【０１４８】
具体的には、タッチパネルに接触している２点の位置関係と、２点の中点の位置と、２点間の各々の軸方向における距離に基づきタッチパネルに接触している２点の位置座標を算出する。
【０１４９】
具体的には、タッチパネルに接触している２点の中点の位置と、２点間の各々の軸方向の距離に基づき、タッチパネルに接触している２点の位置座標を算出する。具体的には、Ｘ軸方向の距離をＬｘ、Ｙ軸方向における距離をＬｙとして算出し、タッチパネルに接触している２点の中点の位置の位置を（Ｘｃ、Ｙｃ）として算出していた場合、２点の座標は数３または数４に示す式で表わされる。尚、数３は、２点が右上がりの傾きに存在している場合、数４は、２点が左上がりの傾きに存在している場合、数５は、Ｘ軸方向に平行である場合、数６は、Ｙ軸方向に平行である場合を示す。
【０１５０】
【数３】
0005642500.tif 000004
【０１５１】
【数４】
0005642500.tif 000005
【０１５２】
【数５】
0005642500.tif 000006
【０１５３】
【数６】
0005642500.tif 000007
【０１５４】
以上により、本実施の形態におけるタッチパネルの位置検出方法は終了する。本実施の形態におけるタッチパネルの位置検出方法では、タッチパネルにおける接触点が２点である場合にも、容易に正確に２点の接触点の座標位置を算出することができる。
【０１５５】
〔第２の実施の形態〕
次に、第２の実施の形態について説明する。本実施の形態は、タッチパネルにおける位置検出方法であり、第１の実施の形態とは一部異なるプロセスを有するものである。
【０１５６】
本実施の形態におけるタッチパネルの位置検出方法について、図３４に基づき説明する。
【０１５７】
最初に、ステップ２０２（Ｓ２０２）において、初期化を行なう。この初期化の具体的な内容については後述する。
【０１５８】
次に、ステップ２０４（Ｓ２０４）において、タッチパネルにおいて指等による接触があるか否かが検出され、指等による接触がある場合には、ステップ２０６に移行し、指等による接触がない場合には、指等による接触があるまで、ステップ２０４を繰り返す。具体的には、第１の抵抗膜１０に電圧が印加されている状態で、第２の抵抗膜２０を介し電位が検出された場合、または、第２の抵抗膜２０に電圧が印加されている状態で、第１の抵抗膜１０を介し電位が検出された場合には、指等による接触があったものとして、ステップ２０６に移行する。
【０１５９】
次に、ステップ２０６（Ｓ２０６）において、１点押下か２点押下かの識別をするプロセスを行なう。この工程の詳細については後述する。
【０１６０】
次に、ステップ２０８（Ｓ２０８）において、２点押下であるか否かの判断がなされる。具体的には、ステップ２０６において１点押下か２点押下かの識別情報に基づき、１点押下であるか２点押下であるか判断される。１点押下である場合には、ステップ２１０に移行し、２点押下である場合には、ステップ２１２に移行する。
【０１６１】
次に、ステップ２１０（Ｓ２１０）において、位置座標が算出される。具体的には、ステップ２０８において、１点押下であるものと判断されたため、通常の４線式のタッチパネルにおける位置検出方法により、１点押下されている座標位置が算出される。この後、この位置検出方法は終了する。
【０１６２】
次に、ステップ２１２（Ｓ２１２）において、タッチパネルにおいて押下されている２点を結ぶ線分の方向（傾き）を識別する。このプロセスの詳細については後述する。
【０１６３】
次に、ステップ２１４（Ｓ２１４）において、タッチパネルにおいて押下されている２点間の距離が算出される。
【０１６４】
次に、ステップ２１６（Ｓ２１６）において、押下されている２点を結ぶ線分がＸ軸方向に平行であるか否かの判断がなされる。具体的には、ステップ２１２において得られた情報に基づき押下されている２点を結ぶ線分がＸ軸方向に平行であるか否かの判断がなされる。押下されている２点を結ぶ線分がＸ軸方向に平行であるもの（平行方向）と判断された場合には、ステップ２１８に移行し、押下されている２点を結ぶ線分がＸ軸方向に平行ではないものと判断された場合には、ステップ２２０に移行する。
【０１６５】
次に、ステップ２１８（Ｓ２１８）において、押下されている平行方向における２点の座標位置が算出され、この後、この位置検出方法は終了する。このプロセスの詳細については後述する。
【０１６６】
次に、ステップ２２０（Ｓ２２０）において、押下されている垂直方向における２点を結ぶ線分がＸ軸方向に垂直であるか否かの判断がなされる。具体的には、ステップ２１２において得られた情報に基づき押下されている２点を結ぶ線分がＸ軸方向に垂直であるか否かの判断がなされる。押下されている２点を結ぶ線分がＸ軸方向に垂直であるもの（垂直方向）と判断された場合には、ステップ２２２に移行し、押下されている２点を結ぶ線分がＸ軸方向に垂直ではないものと判断された場合には、ステップ２２４に移行する。
【０１６７】
次に、ステップ２２２（Ｓ２２２）において、押下されている２点の座標位置が算出され、この後、この位置検出方法は終了する。このプロセスの詳細については後述する。
【０１６８】
次に、ステップ２２４（Ｓ２２４）において、タッチパネルにおいて押下されている２点の中点における座標が検出される。このプロセスの詳細については後述する。
【０１６９】
次に、ステップ２２６（Ｓ２２６）において、タッチパネルにおいて押下されている２点を結ぶ線分の傾き方向が検出される。このプロセスの詳細については後述する。
【０１７０】
次に、ステップ２２８（Ｓ２２８）において、タッチパネルにおいて押下されている２点の位置座標が算出される。このプロセスの詳細については後述する。
【０１７１】
以上により、本実施の形態におけるタッチパネルの位置検出方法は終了する。
【０１７２】
次に、ステップ２０２における初期化のサブルーチンについて図３５に基づき説明する。
【０１７３】
最初に、ステップ３０２（Ｓ３０２）において、抵抗Ｒｘ１と、ＸＨ電極１１とＸＬ電極１２と間の第１の抵抗膜１０とが直列に接続されている状態で電源電圧を印加する。即ち、図３に示されるように、抵抗Ｒｘ１を介してＸＨ電極１１に電源電圧Ｖｃｃを印加し、ＸＬ電極１２を接地する。尚、この状態では、タッチパネルは接触していないか、または、１点で接触している。
【０１７４】
次に、ステップ３０４（Ｓ３０４）において、ＸＨ電極１１に接続されている電位検出部ＡＤＸ１により電位を検出する。
【０１７５】
次に、ステップ３０６（Ｓ３０６）において、電位検出部ＡＤＸ１により検出された電位をＸ軸の初期電位として制御部３０におけるメモリ３２等に記憶する。
【０１７６】
次に、ステップ３０８（Ｓ３０８）において、抵抗Ｒｙ１と、ＹＨ電極２１とＹＬ電極２２と間の第２の抵抗膜２０とが直列に接続されている状態で電源電圧を印加する。即ち、図４に示されるように、抵抗Ｒｙ１を介してＹＨ電極２１に電源電圧Ｖｃｃを印加し、ＹＬ電極２２を接地する。尚、この状態では、タッチパネルは接触していないか、または、１点で接触している。
【０１７７】
次に、ステップ３１０（Ｓ３１０）において、ＹＨ電極２１に接続されている電位検出部ＡＤＹ１により電位を検出する。
【０１７８】
次に、ステップ３１２（Ｓ３１２）において、電位検出部ＡＤＹ１により検出された電位をＹ軸の初期電位として制御部３０におけるメモリ３２等に記憶する。
【０１７９】
尚、ステップ３０２から３０６までと、ステップ３０８から３１２までの順序は逆にしてもよい。
【０１８０】
以上により、このサブルーチンは終了する。
【０１８１】
次に、ステップ２０６における１点押下か２点押下かの識別をするサブルーチンについて、図３６に基づき説明する。
【０１８２】
最初に、ステップ３２２（Ｓ３２２）において、抵抗Ｒｘ１と、ＸＨ電極１１とＸＬ電極１２と間の第１の抵抗膜１０とが直列に接続されている状態で電源電圧を印加する。即ち、図３または図５に示されるように、抵抗Ｒｘ１においてＸＨ電極１１が接続されていない側に電源電圧Ｖｃｃを印加し、ＸＬ電極１２を接地する。尚、この状態では、タッチパネルは１点または２点で接触しているものとする。
【０１８３】
次に、ステップ３２４（Ｓ３２４）において、ＸＨ電極１１に接続されている電位検出部ＡＤＸ１により電位を検出する。
【０１８４】
次に、ステップ３２６（Ｓ３２６）において、抵抗Ｒｙ１と、ＹＨ電極２１とＹＬ電極２２と間の第２の抵抗膜２０とが直列に接続されている状態で電源電圧を印加する。即ち、図４または図６に示されるように、抵抗Ｒｙ１においてＹＨ電極２１が接続されていない側に電源電圧Ｖｃｃを印加し、ＹＬ電極２２を接地する。尚、この状態では、タッチパネルは１点または２点で接触しているものとする。
【０１８５】
次に、ステップ３２８（Ｓ３２８）において、ＹＨ電極２１に接続されている電位検出部ＡＤＹ１により電位を検出する。
【０１８６】
次に、ステップ３３０（Ｓ３３０）において、初期化において求められているＸ軸の初期電位と、ステップ３２４において検出された電位の差であるＸ電位差を算出する。
【０１８７】
次に、ステップ３３２（Ｓ３３２）において、初期化において求められているＹ軸の初期電位と、ステップ３２８において検出された電位の差であるＹ電位差を算出する。
【０１８８】
次に、ステップ３３４（Ｓ３３４）において、ステップ３３２において算出されたＹ電位差が所定のＹスレッショルド値未満であるか否かが判断される。Ｙ電位差が所定のＹスレッショルド値未満である場合には、ステップ３３６に移行し、Ｙ電位差が所定のＹスレッショルド値未満ではない場合には、ステップ３３８に移行する。尚、Ｙスレッショルド値は、タッチパネルにおける接触が１点であるか２点であるかを識別するためにあらかじめ設定されている値であり、誤差等を考慮した値である。
【０１８９】
次に、ステップ３３６（Ｓ３３６）において、ステップ３３０において算出されたＸ電位差が所定のＸスレッショルド値未満であるか否かが判断される。Ｘ電位差が所定のＸスレッショルド値未満である場合には、ステップ３４０に移行し、Ｘ電位差が所定のＸスレッショルド値未満ではない場合には、ステップ３３８に移行する。尚、Ｘスレッショルド値は、タッチパネルにおける接触が１点であるか２点であるかを識別するためにあらかじめ設定されている値であり、誤差等を考慮した値である。
【０１９０】
次に、ステップ３３８（Ｓ３３８）において、タッチパネルにおける指等による接触は２点であるものと判断されるため、この情報が制御部３０のメモリ３２等に記憶される。
【０１９１】
次に、ステップ３４０（Ｓ３４０）において、タッチパネルにおける指等による接触は１点であるものと判断されるため、この情報が制御部３０のメモリ３２等に記憶される。
【０１９２】
以上により、このサブルーチンは終了する。
【０１９３】
次に、ステップ２１２におけるタッチパネルにおいて押下されている２点を結ぶ線分の方向（傾き）を識別するためのサブルーチンについて、図３７に基づき説明する。
【０１９４】
最初に、ステップ３６２（Ｓ３６２）において、ステップ３３０において算出されたＸ電位差が所定のＸスレッショルド値未満であるか否かが判断される。Ｘ電位差が所定のＸスレッショルド値未満である場合には、ステップ３６６に移行し、Ｘ電位差が所定のＸスレッショルド値未満ではない場合には、ステップ３６４に移行する。
【０１９５】
次に、ステップ３６４（Ｓ３６４）において、ステップ３３２において算出されたＹ電位差が所定のＹスレッショルド値未満であるか否かが判断される。Ｙ電位差が所定のＹスレッショルド値未満である場合には、ステップ３６８に移行し、Ｙ電位差が所定のＹスレッショルド値未満ではない場合には、ステップ３７０に移行する。
【０１９６】
次に、ステップ３６６（Ｓ３６６）において、タッチパネルにおける指等による２点の接触点は、Ｘ軸方向とは垂直のＹ軸方向に平行な直線上に存在しているものと判断され、２点は垂直方向であるものとして、制御部３０におけるメモリ３２等に情報が記憶される。
【０１９７】
次に、ステップ３６８（Ｓ３６８）において、タッチパネルにおける指等による２点の接触点は、Ｘ軸方向に対し垂直方向（Ｙ軸方向に対し平行方向）となる直線上に存在しているものと判断され、２点は平行方向であるものとして、制御部３０におけるメモリ３２等に情報が記憶される。
【０１９８】
次に、ステップ３７０（Ｓ３７０）において、タッチパネルにおける指等による２点の接触点は、Ｘ軸方向に対し平行でも垂直でもない斜め方向の直線上に存在しているものと判断され、２点は斜め方向であるものとして、制御部３０におけるメモリ３２等に情報が記憶される。
【０１９９】
以上により、このサブルーチンは終了する。
【０２００】
次に、ステップ２１４における接触点である２点の距離を算出するサブルーチンについて、図３８に基づき説明する。
【０２０１】
最初に、ステップ３８２（Ｓ３８２）において、タッチパネルにおける２点の接触点におけるＸ座標における距離、即ち、２点の接触点におけるＸ座標の差を算出する。具体的には、図３２、図３３または数１、数２に示される式に基づき、ステップ３３０において算出されたＸ電位差に対応するＸ座標における距離Ｌｘを算出する。
【０２０２】
次に、ステップ３８４（Ｓ３８４）において、タッチパネルにおける２点の接触点におけるＹ座標における距離、即ち、２点の接触点におけるＹ座標の差を算出する。具体的には、図３２、図３３または数１、数２に示される式に基づき、ステップ３３２において算出されたＹ電位差に対応するＹ座標における距離Ｌｙを算出する。
【０２０３】
以上により、このサブルーチンは終了する。
【０２０４】
次に、ステップ２１８における平行方向の２点の接触点の位置座標を算出するサブルーチンについて、図３９に基づき説明する。
【０２０５】
最初に、ステップ４０２（Ｓ４０２）において、通常の４線式の位置検出方法により座標検出が行なわれる。これにより、Ｘ座標ＸａとＹ座標Ｙａが得られる。ここで、２つの押下点は、垂直方向、即ち、Ｘ軸方向に垂直な方向に存在しているため、Ｘ座標は同じ値となる。よって、Ｘ座標Ｘａは、２つの押下点のＸ座標Ｘ１、Ｘ２となる。また、Ｙ座標Ｙａは、２つの押下点の中点における座標となる。
【０２０６】
次に、ステップ４０４（Ｓ４０４）において、タッチパネルにおける２つの押下点のうち、一方の押下点のＸ座標Ｘ１をステップ４０２において検出した座標Ｘａとする。
【０２０７】
次に、ステップ４０６（Ｓ４０６）において、タッチパネルにおける２つの押下点のうち、他方の押下点のＸ座標Ｘ２をステップ４０２において検出した座標Ｘａとする。
【０２０８】
次に、ステップ４０８（Ｓ４０８）において、タッチパネルにおける２つの押下点のうち、一方の押下点のＹ座標が算出される。具体的には、ステップ３８４において得られたＹ座標における距離Ｌｙに基づき、一方の押下点におけるＹ座標は、Ｙ１＝Ｙａ＋Ｌｙ／２により算出する。
【０２０９】
次に、ステップ４１０（Ｓ４１０）において、タッチパネルにおける２つの押下点のうち、他方の押下点のＹ座標が算出される。具体的には、ステップ３８４において得られたＹ座標における距離Ｌｙに基づき、他方の押下点におけるＹ座標は、Ｙ２＝Ｙａ−Ｌｙ／２により算出される。
【０２１０】
以上により、このサブルーチンは終了する。
【０２１１】
次に、ステップ２２２における垂直方向の２点の接触点の位置座標を算出するサブルーチンについて、図４０に基づき説明する。
【０２１２】
最初に、ステップ４２２（Ｓ４２２）において、通常の４線式の位置検出方法により座標検出が行なわれる。これにより、Ｘ座標ＸａとＹ座標Ｙａが得られる。ここで、２つの押下点は、平行方向、即ち、Ｘ軸方向に平行な方向に存在しているため、Ｙ座標の位置は同じ値となる。よって、Ｙ座標Ｙａは、２つの押下点のＹ座標Ｙ１、Ｙ２となる。また、Ｘ座標Ｘａは、２つの押下点の中点における座標となる。
【０２１３】
次に、ステップ４２４（Ｓ４２４）において、タッチパネルにおける２つの押下点のうち、一方の押下点のＸ座標が算出される。具体的には、ステップ３８２において得られたＸ座標における距離Ｌｘに基づき、一方の押下点におけるＸ座標は、Ｘ１＝Ｘａ−Ｌｘ／２により算出される。
【０２１４】
次に、ステップ４２６（Ｓ４２６）において、タッチパネルにおける２つの押下点のうち、他方の押下点のＸ座標が算出される。具体的には、ステップ３８２において得られたＸ座標における距離Ｌｘに基づき、他方の押下点におけるＸ座標は、Ｘ２＝Ｘａ＋Ｌｘ／２により算出される。
【０２１５】
次に、ステップ４２８（Ｓ４２８）において、タッチパネルにおける２つの押下点のうち、一方の押下点のＹ座標Ｙ１をステップ４２２において検出した座標Ｙａとする。
【０２１６】
次に、ステップ４３０（Ｓ４３０）において、タッチパネルにおける２つの押下点のうち、他方の押下点のＹ座標Ｙ２をステップ４２２において検出した座標Ｙａとする。
【０２１７】
以上により、このサブルーチンは終了する。
【０２１８】
次に、ステップ２２４における接触点が２点の場合の中点座標を算出するサブルーチンについて、図４１に基づき説明する。
【０２１９】
最初に、ステップ４４２（Ｓ４４２）において、ＸＨ電極１１とＸＬ電極１２と間の第１の抵抗膜１０に電源電圧を印加する。即ち、図１６または図１８に示されるように、ＸＨ電極１１に電源電圧Ｖｃｃを印加し、ＸＬ電極１２を接地する。
【０２２０】
次に、ステップ４４４（Ｓ４４４）において、第２の抵抗膜２０のＹＨ電極２１に接続されている電位検出部ＡＤＹ１において電位を検出する。
【０２２１】
次に、ステップ４４６（Ｓ４４６）において、第２の抵抗膜２０のＹＬ電極２２に接続されている電位検出部ＡＤＹ２において電位を検出する。
【０２２２】
次に、ステップ４４８（Ｓ４４８）において、ＹＨ電極２１とＹＬ電極２２と間の第２の抵抗膜２０に電源電圧を印加する。即ち、図２６または図２８に示されるように、ＹＨ電極２１に電源電圧Ｖｃｃを印加し、ＹＬ電極２２を接地する。
【０２２３】
次に、ステップ４５０（Ｓ４５０）において、第１の抵抗膜１０のＸＨ電極１１に接続されている電位検出部ＡＤＸ１において電位を検出する。
【０２２４】
次に、ステップ４５２（Ｓ４５２）において、第１の抵抗膜１０のＸＬ電極１２に接続されている電位検出部ＡＤＸ２において電位を検出する。
【０２２５】
次に、ステップ４５４（Ｓ４５４）において、ステップ４５０において電位検出部ＡＤＸ１で検出された電位と、ステップ４５２において電位検出部ＡＤＸ２で検出された電位の平均値を算出し、この平均値の値に基づき、中点のＸ座標Ｘｃを算出する。
【０２２６】
次に、ステップ４５６（Ｓ４５６）において、ステップ４４４において電位検出部ＡＤＹ１で検出された電位と、ステップ４４６において電位検出部ＡＤＹ２で検出された電位の平均値を算出し、この平均値の値に基づき、中点のＹ座標Ｙｃを算出する。
【０２２７】
以上により、このサブルーチンは終了する。
【０２２８】
次に、ステップ２２６における２点の接触点を結ぶ線分の傾きの方向を調べるサブルーチンについて、図４２に基づき説明する。
【０２２９】
最初に、ステップ４６２（Ｓ４６２）において、ＸＨ電極１１とＸＬ電極１２と間の第１の抵抗膜１０に電源電圧を印加する。即ち、図１６または図１８に示されるように、ＸＨ電極１１に電源電圧Ｖｃｃを印加し、ＸＬ電極１２を接地する。
【０２３０】
次に、ステップ４６４（Ｓ４６４）において、第２の抵抗膜２０のＹＨ電極２１に接続されている電位検出部ＡＤＹ１において電位を検出する。
【０２３１】
次に、ステップ４６６（Ｓ４６６）において、第２の抵抗膜２０のＹＬ電極２２に接続されている電位検出部ＡＤＹ２において電位を検出する。
【０２３２】
次に、ステップ４６８（Ｓ４６８）において、電位検出部ＡＤＹ１において検出された電位と電位検出部ＡＤＹ２において検出された電位との大小関係が判断される。具体的には、電位検出部ＡＤＹ１において検出された電位が電位検出部ＡＤＹ２において検出された電位よりも大きい場合、ステップ４７０に移行する。また、電位検出部ＡＤＹ１において検出された電位が電位検出部ＡＤＹ２において検出された電位よりも大きくはない場合、ステップ４７２に移行する。
【０２３３】
次に、ステップ４７０（Ｓ４７０）において、２つの接触点を結ぶ線分は、右上がりの方向であるものと判断されるため、２つの接触点を結ぶ線分は、右上がりの方向である旨の情報が制御部３０におけるメモリ部３２に記憶される。
【０２３４】
次に、ステップ４７２（Ｓ４７２）において、２つの接触点を結ぶ線分は、左上がりの方向であるものと判断されるため、２つの接触点を結ぶ線分は、左上がりの方向である旨の情報が制御部３０におけるメモリ部３２に記憶される。
【０２３５】
以上により、このサブルーチンは終了する。尚、このサブルーチンのステップ４６２からステップ４６６は、図４１に示すサブルーチンと重複するため、図４１に示すサブルーチンにおいて、電位検出部ＡＤＹ１において検出された電位及び電位検出部ＡＤＹ２において検出された電位を制御部３０におけるメモリ３２等に記憶しておき、この情報に基づきステップ４６８以降のステップを行なってもよい。
【０２３６】
次に、ステップ２２８における２点の接触点の位置座標を算出するサブルーチンについて、図４３に基づき説明する。
【０２３７】
最初に、ステップ４８２（Ｓ４８２）において、メモリ部３２に記憶されている情報に基づき、２つの接触点を結ぶ線分は、右上がりの方向であるか否かが判断される。傾きが右上がりの方向であるものと判断された場合には、ステップ４８４に移行し、傾きが右上がりの方向ではないものと判断された場合には、ステップ４９２に移行する。
【０２３８】
次に、ステップ４８４（Ｓ４８４）において、タッチパネルにおける２つの押下点のうち、一方の押下点のＸ座標が算出される。具体的には、ステップ４５４において得られた２点の接触点における中点のＸ座標Ｘｃと、ステップ３８２において得られたＸ座標における距離Ｌｘに基づき、一方の押下点におけるＸ座標は、Ｘ１＝Ｘｃ−Ｌｘ／２により算出する。
【０２３９】
次に、ステップ４８６（Ｓ４８６）において、タッチパネルにおける２つの押下点のうち、他方の押下点のＸ座標が算出される。具体的には、ステップ４５４において得られた２点の接触点における中点のＸ座標Ｘｃと、ステップ３８２において得られたＸ座標における距離Ｌｘに基づき、他方の押下点におけるＸ座標は、Ｘ２＝Ｘｃ＋Ｌｘ／２により算出する。
【０２４０】
次に、ステップ４８８（Ｓ４８８）において、タッチパネルにおける２つの押下点のうち、一方の押下点のＹ座標が算出される。具体的には、ステップ４５６において得られた２点の接触点における中点のＹ座標Ｙｃと、ステップ３８４において得られたＹ座標における距離Ｌｙに基づき、一方の押下点におけるＹ座標は、Ｙ１＝Ｙｃ−Ｌｙ／２により算出する。
【０２４１】
次に、ステップ４９０（Ｓ４９０）において、タッチパネルにおける２つの押下点のうち、他方の押下点のＹ座標が算出される。具体的には、ステップ４５６において得られた２点の接触点における中点のＹ座標Ｙｃと、ステップ３８４において得られたＹ座標における距離Ｌｙに基づき、他方の押下点におけるＹ座標は、Ｙ２＝Ｙｃ＋Ｌｙ／２により算出する。
【０２４２】
一方、ステップ４９２（Ｓ４９２）において、タッチパネルにおける２つの押下点のうち、一方の押下点のＸ座標が算出される。具体的には、ステップ４５４において得られた２点の接触点における中点のＸ座標Ｘｃと、ステップ３８２において得られたＸ座標における距離Ｌｘに基づき、一方の押下点におけるＸ座標は、Ｘ１＝Ｘｃ−Ｌｘ／２により算出する。
【０２４３】
次に、ステップ４９４（Ｓ４９４）において、タッチパネルにおける２つの押下点のうち、他方の押下点のＸ座標が算出される。具体的には、ステップ４５４において得られた２点の接触点における中点のＸ座標Ｘｃと、ステップ３８２において得られたＸ座標における距離Ｌｘに基づき、他方の押下点におけるＸ座標は、Ｘ２＝Ｘｃ＋Ｌｘ／２により算出する。
【０２４４】
次に、ステップ４９６（Ｓ４９６）において、タッチパネルにおける２つの押下点のうち、一方の押下点のＹ座標が算出される。具体的には、ステップ４５６において得られた２点の接触点における中点のＹ座標Ｙｃと、ステップ３８４において得られたＹ座標における距離Ｌｙに基づき、一方の押下点におけるＹ座標は、Ｙ１＝Ｙｃ＋Ｌｙ／２により算出する。
【０２４５】
次に、ステップ４９８（Ｓ４９８）において、タッチパネルにおける２つの押下点のうち、他方の押下点のＹ座標が算出される。具体的には、ステップ４５６において得られた２点の接触点における中点のＹ座標Ｙｃと、ステップ３８４において得られたＹ座標における距離Ｌｙに基づき、他方の押下点におけるＹ座標は、Ｙ２＝Ｙｃ−Ｌｙ／２により算出する。
【０２４６】
以上により、このサブルーチンは終了する。
【０２４７】
尚、ステップ２１８及びステップ２２２における図３９及び図４０に示されるサブルーチンに代えて、図４４及び図４５に示すサブルーチンを行なってもよい。
【０２４８】
具体的に、ステップ２１８における平行方向の２点の接触点の位置座標を算出する他のサブルーチンについて、図４４に基づき説明する。
【０２４９】
最初に、ステップ５０２（Ｓ５０２）において、図４１に示すタッチパネルにおける接触点が２点の場合の中点検出のサブルーチンを行なう。これにより、Ｘ座標ＸｃとＹ座標Ｙｃが得られる。ここで、２つの押下点は、垂直方向、即ち、Ｘ軸方向に垂直な方向に存在しているため、Ｘ座標は同じ値となる。よって、Ｘ座標Ｘｃは、２つの押下点のＸ座標Ｘ１、Ｘ２となる。また、Ｙ座標Ｙｃは、２つの押下点の中点における座標となる。
【０２５０】
次に、ステップ５０４（Ｓ５０４）において、タッチパネルにおける２つの押下点のうち、一方の押下点のＸ座標Ｘ１をステップ５０２において検出した座標Ｘｃとする。
【０２５１】
次に、ステップ５０６（Ｓ５０６）において、タッチパネルにおける２つの押下点のうち、他方の押下点のＸ座標Ｘ２をステップ５０２において検出した座標Ｘｃとする。
【０２５２】
次に、ステップ５０８（Ｓ５０８）において、タッチパネルにおける２つの押下点のうち、一方の押下点のＹ座標が算出される。具体的には、ステップ３８４において得られたＹ座標における距離Ｌｙに基づき、一方の押下点におけるＹ座標は、Ｙ１＝Ｙｃ＋Ｌｙ／２により算出する。
【０２５３】
次に、ステップ５１０（Ｓ５１０）において、タッチパネルにおける２つの押下点のうち、他方の押下点のＹ座標が算出される。具体的には、ステップ３８４において得られたＹ座標における距離Ｌｙに基づき、他方の押下点におけるＹ座標は、Ｙ２＝Ｙｃ−Ｌｙ／２により算出される。
【０２５４】
以上により、このサブルーチンは終了する。
【０２５５】
具体的に、ステップ２２２における垂直方向の２点の接触点の位置座標を算出する他のサブルーチンについて、図４５に基づき説明する。
【０２５６】
最初に、ステップ５２２（Ｓ５２２）において、図４１に示すタッチパネルにおける接触点が２点の場合の中点検出のサブルーチンを行なう。これにより、Ｘ座標ＸｃとＹ座標Ｙｃが得られる。ここで、２つの押下点は、平行方向、即ち、Ｘ軸方向に平行な方向に存在しているため、Ｙ座標の位置は同じ値となる。よって、Ｙ座標Ｙｃは、２つの押下点のＹ座標Ｙ１、Ｙ２となる。また、Ｘ座標Ｘｃは、２つの押下点の中点における座標となる。
【０２５７】
次に、ステップ５２４（Ｓ５２４）において、タッチパネルにおける２つの押下点のうち、一方の押下点のＸ座標が算出される。具体的には、ステップ３８２において得られたＸ座標における距離Ｌｘに基づき、一方の押下点におけるＸ座標は、Ｘ１＝Ｘｃ−Ｌｘ／２により算出される。
【０２５８】
次に、ステップ５２６（Ｓ５２６）において、タッチパネルにおける２つの押下点のうち、他方の押下点のＸ座標が算出される。具体的には、ステップ３８２において得られたＸ座標における距離Ｌｘに基づき、他方の押下点におけるＸ座標は、Ｘ２＝Ｘｃ＋Ｌｘ／２により算出される。
【０２５９】
次に、ステップ５２８（Ｓ５２８）において、タッチパネルにおける２つの押下点のうち、一方の押下点のＹ座標Ｙ１をステップ４２２において検出した座標Ｙｃとする。
【０２６０】
次に、ステップ５３０（Ｓ５３０）において、タッチパネルにおける２つの押下点のうち他方の押下点のＹ座標Ｙ２をステップ４２２において検出した座標Ｙｃとする。
【０２６１】
以上により、このサブルーチンは終了する。
【０２６２】
本実施の形態におけるタッチパネルにおける位置検出方法は、第１の実施の形態と同様に、タッチパネルに接触している接触点が２点の場合においても、正確に簡易な方法により位置検出を行なうことができる。
【０２６３】
尚、上記以外の内容については、第１の実施の形態と同様である。
【０２６４】
〔第３の実施の形態〕
次に、第３の実施の形態について説明する。本実施の形態はタッチパネルであり、特に、第１の実施の形態及び第２の実施の形態における位置検出方法において、好ましく用いることのできる構造のタッチパネルである。
【０２６５】
最初に、図１に示されるタッチパネルにおいて、第１の抵抗膜１０、第２の抵抗膜２０と抵抗Ｒｘ１、Ｒｙ１との関係について説明する。尚、タッチパネルにおいては、１点押下した場合において検出される電位と、２点押下した場合において検出される電位との差が大きければ大きいほど、タッチパネルにおける接触点が１点押下であるか、２点押下であるかの判断を容易に行なうことができる。
【０２６６】
（第１のタッチパネル）
第１のタッチパネルは、図１に示されるタッチパネルにおいて、第１の抵抗膜１０及び第２の抵抗膜２０が、Ｘ軸方向の長さが９１．０ｍｍ、Ｙ軸方向の長さが７５．０ｍｍで形成されている。第１の抵抗膜１０におけるＸＨ電極１１とＸＬ電極１２との間の抵抗値は３５１．４Ωであり、第２の抵抗膜２０におけるＹＨ電極２１とＹＬ電極２２との間の抵抗値は２１０．０Ωである。この第１のタッチパネルにおいて、抵抗Ｒｘ１及びＲｙ１の値と、１点押下した場合と２点押下した場合における検出される電位について調べた結果について説明する。
【０２６７】
表１は、第１のタッチパネルにおいて、抵抗Ｒｘ１及びＲｙ１の値と、各々の抵抗膜における電極間の抵抗値を基準とした抵抗Ｒｘ１及びＲｙ１の値の比率、及び、１点押下された場合と２点押下された場合において、検出される電位及びこれらの電位の差を示す。尚、Ｖｃｃは５Ｖとする。
【０２６８】
【表１】
0005642500.tif 000008
【０２６９】
図４６は、表１の結果に基づき、各々の抵抗膜における電極間の抵抗値を基準とした場合における抵抗Ｒｘ１及びＲｙ１の比率と、１点押下された場合と２点押下された場合における電位の差の関係を示す。Ｘ軸方向では、抵抗Ｒｘ１の抵抗値が第１の抵抗膜１０の抵抗値に対し７５〜１００％の場合において、１点押下した場合と２点押下した場合において検出される電位の差が最も大きくなり、その差は約０．６Ｖとなる。また、Ｙ軸方向では、抵抗Ｒｙ１の抵抗値が第２の抵抗膜１０の抵抗値に対し約７５％の場合において、１点押下した場合と２点押下した場合において検出される電位の差が最も大きくなり、その差は約０．４Ｖとなる。
【０２７０】
１点押下した場合と２点押下した場合における電位の差が、０．２Ｖ以上であれば、タッチパネルにおける接触点が、１点押下であるか２点押下であるかの判別を容易に行なうことができる。よって、第１のタッチパネルにおいては、タッチパネルにおける抵抗膜の抵抗値に対して、抵抗Ｒｘ１及びＲｙ１の値が２５％以上、４００％以下であることが好ましい。更に、より確実に１点押下であるか２点押下であるかの判別を行なうためには、電位の差が０．３Ｖ以上であることが好ましく、この場合には、抵抗Ｒｘ１及びＲｙ１の値が５０％以上、２００％以下であることがより好ましい。
【０２７１】
（第２のタッチパネル）
次に、第２のタッチパネルは、図１に示されるタッチパネルにおいて、第１の抵抗膜１０及び第２の抵抗膜２０が、Ｘ軸方向の長さが１６４．０ｍｍ、Ｙ軸方向の長さが１０１．０ｍｍで形成されている。第１の抵抗膜１０におけるＸＨ電極１１とＸＬ電極１２との間の抵抗値は８６６．０Ωであり、第２の抵抗膜２０におけるＹＨ電極２１とＹＬ電極２２との間の抵抗値は２４７．５Ωである。この第２のタッチパネルにおいて、抵抗Ｒｘ１及びＲｙ１の値と、１点押下した場合と２点押下した場合における検出される電位について調べた結果について説明する。
【０２７２】
表２は、第１のタッチパネルにおいて、抵抗Ｒｘ１及びＲｙ１の値と、各々の抵抗膜における電極間の抵抗値を基準とした抵抗Ｒｘ１及びＲｙ１の値の比率、及び、１点押下された場合と２点押下された場合において、検出される電位及びこれらの電位の差を示す。尚、Ｖｃｃは５Ｖとする。
【０２７３】
【表２】
0005642500.tif 000009
【０２７４】
図４７は、表２の結果に基づき、各々の抵抗膜における電極間の抵抗値を基準とした場合における抵抗Ｒｘ１及びＲｙ１の比率と、１点押下された場合と２点押下された場合における電位の差の関係を示す。Ｘ軸方向では、抵抗Ｒｘ１の抵抗値が第１の抵抗膜１０の抵抗値に対し約７５％の場合において、１点押下した場合と２点押下した場合において検出される電位の差が最も大きくなり、その差は約０．７Ｖとなる。また、Ｙ軸方向では、抵抗Ｒｙ１の抵抗値が第２の抵抗膜１０の抵抗値に対し約７５％の場合において、１点押下した場合と２点押下した場合において検出される電位の差が最も大きくなり、その差は約０．３４Ｖとなる。
【０２７５】
１点押下した場合と２点押下した場合における電位の差が、０．２Ｖ以上であれば、タッチパネルにおける接触点が、１点押下であるか２点押下であるかの判別を容易に行なうことができる。よって、第１のタッチパネルにおいては、タッチパネルにおける抵抗膜の抵抗値に対して、抵抗Ｒｘ１及びＲｙ１の値が２５％以上、４００％以下であることが好ましい。更に、より確実に１点押下であるか２点押下であるかの判別を行なうためには、電位の差が０．３Ｖ以上であることが好ましく、この場合には、抵抗Ｒｘ１及びＲｙ１の値が５０％以上、１００％以下であることがより好ましい。
【０２７６】
（第３のタッチパネル）
次に、第３のタッチパネルは、図１に示されるタッチパネルにおいて、第１の抵抗膜１０及び第２の抵抗膜２０が、Ｘ軸方向の長さが１８３．０ｍｍ、Ｙ軸方向の長さが１４３．０ｍｍで形成されている。第１の抵抗膜１０におけるＸＨ電極１１とＸＬ電極１２との間の抵抗値は５８０．０Ωであり、第２の抵抗膜２０におけるＹＨ電極２１とＹＬ電極２２との間の抵抗値は３６０．０Ωである。この第２のタッチパネルにおいて、抵抗Ｒｘ１及びＲｙ１の値と、１点押下した場合と２点押下した場合における検出される電位について調べた結果について説明する。
【０２７７】
表３及び表４は、第１のタッチパネルにおいて、抵抗Ｒｘ１及びＲｙ１の値と、各々の抵抗膜における電極間の抵抗値を基準とした抵抗Ｒｘ１及びＲｙ１の値の比率、及び、１点押下された場合と２点押下された場合において、検出される電位及びこれらの電位の差を示す。尚、Ｖｃｃは５Ｖとする。
【０２７８】
【表３】
0005642500.tif 000010
【０２７９】
【表４】
0005642500.tif 000011
【０２８０】
図４８は、表３及び表４の結果に基づき、各々の抵抗膜における電極間の抵抗値を基準とした場合における抵抗Ｒｘ１及びＲｙ１の比率と、１点押下された場合と２点押下された場合における電位の差の関係を示す。Ｘ軸方向では、抵抗Ｒｘ１の抵抗値が第１の抵抗膜１０の抵抗値に対し約７５％の場合において、１点押下した場合と２点押下した場合において検出される電位の差が最も大きくなり、その差は約０．３２Ｖとなる。また、Ｙ軸方向では、抵抗Ｒｙ１の抵抗値が第２の抵抗膜１０の抵抗値に対し約７５％の場合において、１点押下した場合と２点押下した場合において検出される電位の差が最も大きくなり、その差は約０．２４Ｖとなる。
【０２８１】
１点押下した場合と２点押下した場合における電位の差が、０．２Ｖ以上であれば、タッチパネルにおける接触点が、１点押下であるか２点押下であるかの判別を容易に行なうことができる。よって、第１のタッチパネルにおいては、タッチパネルにおける抵抗膜の抵抗値に対して、抵抗Ｒｘ１及びＲｙ１の値が５０％以上、２００％以下であることが好ましい。
【０２８２】
以上より、本実施の形態におけるタッチパネルにおいては、抵抗Ｒｘ１及びＲｙ１の抵抗値は、第１の抵抗膜１０及び第２の抵抗膜２０における抵抗値に対して、２５％以上、４００％以下の値に設定されており、更には、５０％以上、２００％以下であることが好ましい。また、より一層好ましくは、５０％以上、１００％以下であり、更に好ましくは、約７５％である。
【０２８３】
〔第４の実施の形態〕
次に、第４の実施の形態について説明する。本実施の形態はタッチパネルであり、図４９に基づき説明する。
【０２８４】
本実施の形態におけるタッチパネルは、第１の抵抗膜１０に直列に接続される抵抗Ｒｘ１、Ｒｘ２、Ｒｘ３を複数有しており、第１のスイッチ１１０を切り換えることにより、抵抗Ｒｘ１、Ｒｘ２、Ｒｘ３のうちいずれかを選択して、第１の抵抗膜１０に直列に接続することのできるものである。また、同様に、第２の抵抗膜２０に直列に接続される抵抗Ｒｙ１、Ｒｙ２、Ｒｙ３を複数有しており、第２のスイッチ１２０を切り換えることにより、抵抗Ｒｙ１、Ｒｙ２、Ｒｙ３のうちいずれかを選択して、第２の抵抗膜２０に直列に接続することのできるものである。尚、本実施の形態では、抵抗Ｒｘ１、Ｒｘ２、Ｒｘ３を第１の抵抗群１３０と称し、抵抗Ｒｙ１、Ｒｙ２、Ｒｙ３を第２の抵抗群１４０と称する。また、第１の抵抗群１３０及び第２の抵抗群１４０の各々に含まれる抵抗の数は、選択することができるよう複数であればよい。尚、第１のスイッチ１１０は、制御部３０における第１のスイッチ制御端子に接続されており、第２のスイッチ１２０は、制御部３０における第２のスイッチ制御端子に接続されている。
【０２８５】
本実施の形態におけるタッチパネルでは、第１のスイッチ１１０を切り換えることにより、第１の抵抗膜１０に最も適した抵抗を抵抗Ｒｘ１、Ｒｘ２、Ｒｘ３より選択することができる。具体的には、第１の抵抗膜１０におけるＸＨ電極１１とＸＬ電極１２との間の抵抗値の７５％の値に最も近い値となるものを抵抗Ｒｘ１、Ｒｘ２、Ｒｘ３より選択する。図５０は、抵抗Ｒｘ１、Ｒｘ２、Ｒｘ３、第１のスイッチ１１０、第１の抵抗膜１０、電位検出部ＡＤＸ１を示したものである。図５０に示されるように、第１の抵抗膜１０におけるＸＨ電極１１とＸＬ電極１２との間の抵抗値をＲＳｘとした場合、第１のスイッチ１１０を切り換えることにより、抵抗Ｒｘ１、Ｒｘ２、Ｒｘ３のいずれかと接続し、電位検出部ＡＤＸ１において検出される電位の値が、（ＲＳｘ／（ＲＳｘ＋０．７５ＲＳｘ））×Ｖｃｃより得られる値である約０．５７Ｖｃｃに最も近い抵抗を選択し、第１のスイッチ１１０を切り換えることにより、その抵抗を第１の抵抗膜１０と接続する。
【０２８６】
同様に、第２のスイッチ１２０を切り換えることにより、第２の抵抗膜２０に最も適した抵抗を抵抗Ｒｙ１、Ｒｙ２、Ｒｙ３より選択する。具体的には、第２の抵抗膜２０におけるＹＨ電極２１とＹＬ電極２２との間の抵抗値の７５％の値に最も近い値となるものを抵抗Ｒｙ１、Ｒｙ２、Ｒｙ３より選択する。
【０２８７】
本実施の形態では、第１のスイッチ１１０により抵抗Ｒｘ１、Ｒｘ２、Ｒｘ３から最適な抵抗値の抵抗を選択することができ、第２のスイッチ１２０により抵抗Ｒｙ１、Ｒｙ２、Ｒｙ３から最適な抵抗値の抵抗を選択することができるため、タッチパネルにおける第１の抵抗膜１０及び第２の抵抗膜２０において製造誤差等によるバラツキが生じた場合においても、最適な抵抗を選択することができる。また、形状の異なる様々なタッチパネルについても、最適な抵抗を選択することができる。
【０２８８】
（抵抗の選択方法）
次に、本実施の形態におけるタッチパネルにおいて、第１の抵抗膜１０及び第２の抵抗膜２０に接続される抵抗の選択方法について、図５１に基づき説明する。尚、以下の制御の一部または全部は制御部３０における制御に基づき行なわれる。
【０２８９】
最初に、ステップ６０２（Ｓ６０２）において、第１のスイッチ１１０を切り換えて、例えば、抵抗Ｒｘ１と第１の抵抗膜１０とを直列に接続する。
【０２９０】
次に、ステップ６０４（Ｓ６０４）において、電源電位Ｖｃｃが印加されている状態で、電位検出部ＡＤＸ１において電位を測定する。
【０２９１】
次に、ステップ６０６（Ｓ６０６）において、第１の抵抗膜１０に接続されるＸ軸方向の抵抗Ｒｘ１、Ｒｘ２、Ｒｘ３のすべての抵抗について、切り替えられた状態で電位検出部ＡＤＸ１における電位の測定が行なわれたか否かが判断される。すべての抵抗について、切り替えられた状態で電位検出部ＡＤＸ１における電位の測定が行なわれている場合には、ステップ６０８に移行する。一方、すべての抵抗については、切り替えられた状態で電位検出部ＡＤＸ１における電位の測定が行なわれていない場合には、ステップ６０２に移行する。この際、ステップ６０２では、第１のスイッチ１１０を切り換えることにより、第１の抵抗膜１０と次の抵抗Ｒｘ２または抵抗Ｒｘ３との接続が行なわれる。
【０２９２】
次に、ステップ６０８（Ｓ６０８）において、Ｘ軸方向の抵抗Ｒｘ１、Ｒｘ２、Ｒｘ３のうち、電位検出部ＡＤＸ１において検出された電位が０．５７Ｖｃｃに最も近い抵抗が選択されて、第１のスイッチ１１０により第１の抵抗膜１０と直列に接続される。
【０２９３】
次に、ステップ６１０（Ｓ６１０）において、第２のスイッチ１２０を切り換えて、例えば、抵抗Ｒｙ１と第２の抵抗膜２０とを直列に接続する。
【０２９４】
次に、ステップ６１２（Ｓ６１２）において、電源電位Ｖｃｃが印加されている状態で、電位検出部ＡＤＹ１において電位を測定する。
【０２９５】
次に、ステップ６１４（Ｓ６１４）において、第２の抵抗膜２０に接続されるＹ軸方向の抵抗Ｒｙ１、Ｒｙ２、Ｒｙ３のすべての抵抗について、切り替えられた状態で電位検出部ＡＤＹ１における電位の測定が行なわれたか否かが判断される。すべての抵抗について、切り替えられた状態で電位検出部ＡＤＹ１における電位の測定が行なわれている場合には、ステップ６１６に移行する。一方、すべての抵抗については、切り替えられた状態で電位検出部ＡＤＹ１における電位の測定が行なわれていない場合には、ステップ６１０に移行する。この際、ステップ６１０では、第２のスイッチ１２０を切り換えることにより、第２の抵抗膜２０と次の抵抗Ｒｙ２または抵抗Ｒｙ３との接続が行なわれる。
【０２９６】
次に、ステップ６１６（Ｓ６１６）において、Ｙ軸方向の抵抗Ｒｙ１、Ｒｙ２、Ｒｙ３のうち、電位検出部ＡＤＹ１において検出された電位が０．５７Ｖｃｃに最も近い抵抗が選択されて、第２のスイッチ１２０により第２の抵抗膜２０と直列に接続される。
【０２９７】
〔第５の実施の形態〕
次に、第５の実施の形態について説明する。本実施の形態はタッチパネルであり、図５２に基づき説明する。
【０２９８】
本実施の形態におけるタッチパネルは、第１の抵抗膜１０に直列に接続される抵抗Ｒｃｘ１及び、第２の抵抗膜２０に直列に接続される抵抗Ｒｃｙ１が可変抵抗により形成されているものである。
【０２９９】
抵抗Ｒｃｘ１及び抵抗Ｒｃｙ１の抵抗値は、第１の抵抗膜１０におけるＸＨ電極１１とＸＬ電極１２との間の抵抗値の７５％の値に最も近い値となるように、抵抗Ｒｃｘ１の値を調節し、同様に、第２の抵抗膜２０におけるＹＨ電極２１とＹＬ電極２２との間の抵抗値の７５％の値に最も近い値となるように、抵抗Ｒｃｙ１の値を調節する。
【０３００】
具体的には、電位検出部ＡＤＸ１において検出される電位の値が、約０．５７Ｖｃｃに最も近くなるように、抵抗Ｒｃｘ１の値を調節し、同様に、電位検出部ＡＤＹ１において検出される電位の値が、約０．５７Ｖｃｃに最も近くなるように、抵抗Ｒｃｙ１の値を調節する。
【０３０１】
本実施の形態では、タッチパネルにおける第１の抵抗膜１０及び第２の抵抗膜２０において製造誤差等によるバラツキが生じた場合においても、最適な抵抗値に調節することができる。また、形状の異なる様々なタッチパネルについても、最適な抵抗値に調節することができる。
【０３０２】
また、図５３に示されるものは、本実施の形態におけるタッチパネルにおいて、抵抗Ｒｃｘ１及び抵抗Ｒｃｙ１における抵抗値を制御部２３０においてＲｃｘ１設定端子及びＲｃｙ１設定端子を介して設定することができるものである。
【０３０３】
（抵抗値の設定方法）
次に、本実施の形態におけるタッチパネルにおいて、第１の抵抗膜１０及び第２の抵抗膜２０に接続される抵抗Ｒｃｘ１及び抵抗Ｒｃｙ１の抵抗値の設定方法について、図５４に基づき説明する。尚、以下の制御の一部または全部は制御部３０における制御に基づき行なわれる。
【０３０４】
最初に、ステップ７０２（Ｓ７０２）において、電源電位Ｖｃｃが印加されている状態で、電位検出部ＡＤＸ１において電位を測定する。
【０３０５】
次に、ステップ７０４（Ｓ７０４）において、電位検出部ＡＤＸ１において測定された電位が、０．５７Ｖｃｃに近い値であるか否かが判断される。例えば、電位検出部ＡＤＸ１において測定された電位が、０．２Ｖｃｃ以上、０．８Ｖｃｃ以下であるか否かが判断される（抵抗Ｒｃｘ１の抵抗値が、第１の抵抗膜１０における抵抗値に対して、２５％以上、４００％以下となるように設定する場合）。電位検出部ＡＤＸ１において測定された電位が０．２Ｖｃｃ以上、０．８Ｖｃｃ以下である場合には、ステップ７１２に移行する。また、電位検出部ＡＤＸ１において測定された電位が０．２Ｖｃｃ以上、０．８Ｖｃｃ以下ではない場合には、ステップ７０６に移行する。
【０３０６】
尚、ステップ７０４において、抵抗Ｒｃｘ１の抵抗値が、第１の抵抗膜１０における抵抗値に対して、５０％以上、２００％以下となるように設定する場合には、電位検出部ＡＤＸ１において測定された電位が、０．３３Ｖｃｃ以上、０．６７Ｖｃｃ以下であるか否かにより判断することができる。また、５０％以上、１００％以下となるように設定する場合には、電位検出部ＡＤＸ１において測定された電位が、０．５Ｖｃｃ以上、０．６７Ｖｃｃ以下であるか否かにより判断することができる。
【０３０７】
次に、ステップ７０６（Ｓ７０６）において、電位検出部ＡＤＸ１において測定された電位が、所定の電位の範囲（例えば、０．２Ｖｃｃ〜０．８Ｖｃｃ）よりも高いかまたは低いか否かが判断される。所定の電位の範囲（例えば、０．８Ｖｃｃ）よりも高い場合には、ステップ７０８に移行し、所定の電位の範囲（例えば、０．２Ｖｃｃ）よりも低い場合には、ステップ７１０に移行する。
【０３０８】
次に、ステップ７０８（Ｓ７０８）において、抵抗Ｒｃｘ１における抵抗値が高くなるように調節する。この後、ステップ７０２に移行する。
【０３０９】
次に、ステップ７１０（Ｓ７１０）において、抵抗Ｒｃｘ１における抵抗値が低くなるように調節する。この後、ステップ７０２に移行する。
【０３１０】
次に、ステップ７１２（Ｓ７１２）において、電源電位Ｖｃｃが印加されている状態で、電位検出部ＡＤＹ１において電位を測定する。
【０３１１】
次に、ステップ７１４（Ｓ７１４）において、電位検出部ＡＤＹ１において測定された電位が、０．５７Ｖｃｃに近い値であるか否かが判断される。例えば、電位検出部ＡＤＹ１において測定された電位が、０．２Ｖｃｃ以上、０．８Ｖｃｃ以下であるか否かが判断される（抵抗Ｒｃｙ１の抵抗値が、第２の抵抗膜２０における抵抗値に対して、２５％以上、４００％以下となるように設定する場合）。電位検出部ＡＤＹ１において測定された電位が０．２Ｖｃｃ以上、０．８Ｖｃｃ以下である場合には終了する。また、電位検出部ＡＤＹ１において測定された電位が０．２Ｖｃｃ以上、０．８Ｖｃｃ以下ではない場合には、ステップ７１６に移行する。
【０３１２】
尚、ステップ７１４において、抵抗Ｒｃｙ１の抵抗値が、第２の抵抗膜２０における抵抗値に対して、５０％以上、２００％以下となるように設定する場合には、電位検出部ＡＤＹ１において測定された電位が、０．３３Ｖｃｃ以上、０．６７Ｖｃｃ以下であるか否かにより判断することができる。また、５０％以上、１００％以下となるように設定する場合には、電位検出部ＡＤＹ１において測定された電位が、０．５Ｖｃｃ以上、０．６７Ｖｃｃ以下であるか否かにより判断することができる。
【０３１３】
次に、ステップ７１６（Ｓ７１６）において、電位検出部ＡＤＹ１において測定された電位が、所定の電位の範囲（例えば、０．２Ｖｃｃ〜０．８Ｖｃｃ）よりも高いかまたは低いか否かが判断される。所定の電位の範囲（例えば、０．８Ｖｃｃ）よりも高い場合には、ステップ７１８に移行し、所定の電位の範囲（例えば、０．２Ｖｃｃ）よりも低い場合には、ステップ７２０に移行する。
【０３１４】
次に、ステップ７１８（Ｓ７１８）において、抵抗Ｒｃｙ１における抵抗値を高くなるように調節する。この後、ステップ７１２に移行する。
【０３１５】
次に、ステップ７２０（Ｓ７２０）において、抵抗Ｒｃｙ１における抵抗値を低くなるように調節する。この後、ステップ７１２に移行する。
【０３１６】
以上により、本実施の形態におけるタッチパネルにおいて、抵抗Ｒｃｘ１及びＲｃｙ１における抵抗値を所定の値に設定することができる。
【０３１７】
尚、第３の実施の形態から第５の実施の形態においては、抵抗Ｒｘ１、Ｒｙ２、Ｒｙ３又は抵抗Ｒｃｘ１は、一方をＸＨ電極１１に接続し、他方を電源電圧に接続したものであって、抵抗Ｒｙ１、Ｒｙ２、Ｒｙ３又は抵抗Ｒｃｙ１は、一方をＹＨ電極２１に接続し、他方を電源電圧に接続したものについて説明したが、これらに代えて、抵抗Ｒｘ１、Ｒｙ２、Ｒｙ３又は抵抗Ｒｃｘ１は、一方をＸＬ電極１２に接続し、他方を接地したものであってもよく、また、抵抗Ｒｙ１、Ｒｙ２、Ｒｙ３又は抵抗Ｒｃｙ１は、一方をＹＬ電極２２に接続し、他方を接地したものであってもよい。
【０３１８】
〔第６の実施の形態〕
次に、第６の実施の形態について説明する。本実施の形態におけるタッチパネルは、第１の実施の形態、第４の実施の形態、第５の実施の形態におけるタッチパネルにおいて、接続される抵抗Ｒｘ１、抵抗Ｒｙ１等が接地側に接続されている構造のものである。
【０３１９】
最初に、図５５に示される構造のタッチパネルは、図１に対応するものであり、第１の実施の形態におけるタッチパネルにおいて、抵抗Ｒｘ１及び抵抗Ｒｙ１が接地側に接続されている構造のものである。具体的には、ＩＴＯ等の透明導電膜からなる第１の抵抗膜１０と第２の抵抗膜２０を有している。第１の抵抗膜１０には、Ｘ軸方向の両端の一方にＸＨ電極１１、他方にＸＬ電極１２がＹ軸方向に沿って形成されている。また、第２の抵抗膜２０には、Ｙ軸方向の両端の一方にＹＨ電極２１、他方にＹＬ電極２２がＸ軸方向に沿って形成されている。
【０３２０】
ＸＨ電極１１は、第１の電極となるものであり、電源電位Ｖｃｃに接続されたトランジスタからなるスイッチＳＷ１と接続されており、また、接地電位に接続されているトランジスタからなるスイッチＳＷ７に抵抗Ｒを介し接続されており、更には、制御部３０内に設けられたＡＤ変換器３１において電位を検出するための電位検出部ＡＤＸ１に接続されている。
【０３２１】
ＸＬ電極１２は、第２の電極となるものであり、接地電位に接続されたトランジスタからなるスイッチＳＷ３と接続されており、また、接地電位に接続されたトランジスタからなるスイッチＳＷ２と抵抗Ｒｘ１を介し接続されており、更には、ＡＤ変換器３１において電位を検出するための電位検出部ＡＤＸ２に接続されている。
【０３２２】
ＹＨ電極２１は、第３の電極となるものであり、電源電位Ｖｃｃに接続されたトランジスタからなるスイッチＳＷ４と接続されており、また、制御部３０内に設けられたＡＤ変換器３１において電位を検出するための電位検出部ＡＤＹ１に接続されている。
【０３２３】
ＹＬ電極２２は、第４の電極となるものであり、接地電位に接続されたトランジスタからなるスイッチＳＷ６と接続されており、また、接地電位に接続されたトランジスタからなるスイッチＳＷ５と抵抗Ｒｙ１を介し接続されており、更には、ＡＤ変換器３１において電位を検出するための電位検出部ＡＤＹ２に接続されている。
【０３２４】
尚、抵抗Ｒｘ１は、第１の抵抗となるものであり、抵抗膜１０におけるＸＨ電極１１とＸＬ電極１２との間の抵抗値と略等しい値の抵抗値を有しており、抵抗Ｒｙ１は、第２の抵抗となるものであり、抵抗膜２０におけるＹＨ電極２１とＹＬ電極２２との間の抵抗値と略等しい値の抵抗値を有している。
【０３２５】
スイッチＳＷ１、ＳＷ２、ＳＷ３、ＳＷ４、ＳＷ５、ＳＷ６及びＳＷ７は、制御部３０に設けられたＳＷ１制御端子、ＳＷ２制御端子、ＳＷ３制御端子、ＳＷ４制御端子、ＳＷ５制御端子、ＳＷ６制御端子及びＳＷ７制御端子に接続されている。
【０３２６】
尚、第１の実施の形態におけるタッチパネルは、図８から図１０、図１４、図１５、図３２において、２点間距離が広がるにつれて電位が降下するものであるが、本実施の形態における図５５に示される構造のタッチパネルは、２点間距離が広がるにつれて、電位が上昇するものである。
【０３２７】
次に、図５６に示される構造のタッチパネルは、図４９に対応するものであり、第４の実施の形態におけるタッチパネルにおいて、抵抗Ｒｘ１、Ｒｘ２、Ｒｘ３、Ｒｙ１、Ｒｙ２、Ｒｙ３が接地側に接続されている構造のものである。具体的には、第１の抵抗膜１０のＸＬ電極１２側に直列に接続される抵抗Ｒｘ１、Ｒｘ２、Ｒｘ３を複数有しており、第１のスイッチ１１０を切り換えることにより、抵抗Ｒｘ１、Ｒｘ２、Ｒｘ３のうちいずれかを選択して、第１の抵抗膜１０に直列に接続することのできるものである。また、同様に、第２の抵抗膜２０のＹＬ電極２２側に直列に接続される抵抗Ｒｙ１、Ｒｙ２、Ｒｙ３を複数有しており、第２のスイッチ１２０を切り換えることにより、抵抗Ｒｙ１、Ｒｙ２、Ｒｙ３のうちいずれかを選択して、第２の抵抗膜２０に直列に接続することのできるものである。尚、第１のスイッチ１１０及び第２のスイッチ１２０は、接地電位と接続されている。
【０３２８】
次に、図５７に示される構造のタッチパネルは、図５２に対応するものであり、第５の実施の形態におけるタッチパネルにおいて、抵抗Ｒｃｘ１、Ｒｃｙ１が接地側に接続されている構造のものである。具体的には、可変抵抗により形成されている抵抗Ｒｃｘ１は、第１の抵抗膜１０のＸＬ電極１２側に直列に接続されており、同様に、可変抵抗により形成されている抵抗Ｒｃｙ１は、第２の抵抗膜２０のＹＬ電極２２側に直列に接続されている。尚、抵抗Ｒｃｘ１はトランジスタからなるスイッチＳＷ２を介し接地電位と接続されており、抵抗Ｒｃｙ１はトランジスタからなるスイッチＳＷ５を介し接地電位と接続されている。
【０３２９】
次に、図５８に示される構造のタッチパネルは、図５３に対応するものであり、第５の実施の形態におけるタッチパネルにおいて、抵抗Ｒｃｘ１、Ｒｃｙ１が接地側に接続されている構造のものである。具体的には、抵抗Ｒｃｘ１は、第１の抵抗膜１０のＸＬ電極１２側に直列に接続されており、同様に、抵抗Ｒｃｙ１は、第２の抵抗膜２０のＹＬ電極２２側に直列に接続されている。尚、抵抗Ｒｃｘ１はトランジスタからなるスイッチＳＷ２を介し接地電位と接続されており、抵抗Ｒｃｙ１はトランジスタからなるスイッチＳＷ５を介し接地電位と接続されている。また、抵抗Ｒｃｘ１及び抵抗Ｒｃｙ１における抵抗値を制御部２３０においてＲｃｘ１設定端子及びＲｃｙ１設定端子を介して設定することができるものである。
【０３３０】
〔第７の実施の形態〕
次に、第７の実施の形態について説明する。本実施の形態は、第１の実施の形態におけるタッチパネル等の初期化方法である。具体的には、タッチパネルにおいて接触点が２点である場合の位置検出をより正確に行なうための初期化方法である。
【０３３１】
本実施の形態における初期化方法では、図５９に示されるように、第１の実施の形態におけるタッチパネル１をパーソナルコンピュータ（ＰＣ）６０に接続された表示装置４０上の所定の位置に配置して行なう。尚、表示装置４０はパーソナルコンピュータ６０を介することなくタッチパネル１の制御部３０に直接接続されたものであってもよい。
【０３３２】
本実施の形態では、図６０に示されるように、タッチパネル１が設置されている表示装置４０の表示画面には、点Ａ１、点Ａ２、点Ａ３、点Ａ４が、押下のタイミングに合わせて表示され、表示されている点を押下することにより、タッチパネル１の初期化を行なうことができる。点Ａ１及び点Ａ４は、表示装置４０の表示画面の対角に位置しており、表示装置４０の表示画面よりもＸ軸方向においてＸｅｄｇ、Ｙ軸方向においてＹｅｄｇ内側の位置である。点Ａ２及び点Ａ３は、点Ａ１及び点Ａ４の間をＸ軸方向に３等分、Ｙ軸方向に３等分した座標に位置している。このため、点Ａ１、点Ａ２、点Ａ３、点Ａ４は、同一直線上に位置している。尚、点Ａ１、点Ａ２、点Ａ３、点Ａ４は、表示装置４０の表示画面における４点であれば、上記３等分した位置以外の位置であってもよい。
【０３３３】
（初期化方法）
次に、本実施の形態における初期化方法について、図６１及び図６２に基づき説明する。尚、図６１及び図６２において、左側のフローチャートは、パーソナルコンピュータ６０において行なわれるフローであり、右側のフローチャートは、タッチパネル１の制御部３０において行なわれるフローである。本実施の形態における説明においては、２つのフローチャートを関連させつつ説明する。
【０３３４】
最初に、パーソナルコンピュータ６０及びタッチパネル１の電源をオンにする。
【０３３５】
次に、ステップ８０２（Ｓ８０２）において、パーソナルコンピュータ６０よりタッチパネル１に、補正開始コマンドが送信される。この補正開始コマンドは、本実施の形態におけるタッチパネルの初期化の開始を意味するコマンドである。これにより、タッチパネル１の制御部３０では、ステップ９０２（Ｓ９０２）に示されるように、パーソナルコンピュータ６０から送信された補正開始コマンドを受信し、ステップ９０４に移行するとともに、パーソナルコンピュータ６０にＡＣＫ（Acknowledgement）信号を送信する。この後、ステップ９０４（Ｓ９０４）において、制御部３０では、タッチパネル１は初期化を開始するため通常のタッチパネル入力動作とは異なる補正モードに設定される。
【０３３６】
次に、ステップ８０４（Ｓ８０４）において、パーソナルコンピュータ６０は制御部３０から送信されたＡＣＫ信号を受信し、ステップ８０６（Ｓ８０６）からステップ８１６（Ｓ８１６）に示される１点入力を行なうための表示を行なうループに移行する。尚、ステップ９０６（Ｓ９０６）からステップ９１４（Ｓ９１４）は、ステップ８０６（Ｓ８０６）からステップ８１６（Ｓ８１６）に対応する制御部３０におけるループである。
【０３３７】
ステップ８０６からステップ８１６におけるループでは、最初に、ステップ８０８（Ｓ８０８）において、点Ａ１を表示装置４０の表示画面に表示する。
【０３３８】
次に、ステップ８１０（Ｓ８１０）において、点Ａ１を押下することにより、１点入力がなされ、１点入力がオン状態となる。この情報はパーソナルコンピュータ６０より制御部３０に送信される。この情報に基づき、制御部３０では、ステップ９０８（Ｓ９０８）において、点Ａ１のＸ軸方向及びＹ軸方向における電位が測定される。
【０３３９】
次に、ステップ８１２（Ｓ８１２）において、点Ａ１の押下が解除、即ち、点Ａ１が押下されていない状態となり、入力がＯＦＦ状態であることが検出される。この情報は、パーソナルコンピュータ６０より制御部３０に送信される。この情報に基づき、制御部３０では、ステップ９１０（Ｓ９１０）に示されるように、点Ａ１の１点入力が完了し、座標位置が算出される。
【０３４０】
次に、ステップ８１４（Ｓ８１４）において、点Ａ１の座標の保存命令がパーソナルコンピュータ６０より制御部３０に送信される。制御部３０では、ステップ９１２（Ｓ９１２）に示されるように、点Ａ１の座標位置が保存される。
【０３４１】
ステップ８０６からステップ８１６のループにおいては、同様の動作について、点Ａ１を含め、点Ａ２、点Ａ３、点Ａ４の計４点について行なう。具体的には、ステップ８０８において、点Ａ１、点Ａ２、点Ａ３、点Ａ４を順次表示し、所定の位置を押下することにより、点Ａ１、点Ａ２、点Ａ３、点Ａ４の座標位置を検出し保存する。即ち、これらの点について、ステップ８０６からステップ８１６、ステップ９０６からステップ９１４を順次行なう。
【０３４２】
次に、ステップ９１６（Ｓ９１６）において、各入力点間のＸ軸方向の距離及びＹ軸方向の距離を算出し保存する。具体的には、ステップ８０６からステップ８１６のループ及びステップ９０６からステップ９１４において得られた点Ａ１、点Ａ２、点Ａ３、点Ａ４の座標位置、即ち、点Ａ１（ＸＡ１、ＹＡ１）、点Ａ２（ＸＡ２、ＹＡ２）、点Ａ３（ＸＡ３、ＹＡ３）、点Ａ４（ＸＡ４、ＹＡ４）に基づき、点Ａ１から点Ａ２までの距離（ＬＸＡ２Ａ１、ＬＹＡ２Ａ１）、点Ａ１から点Ａ２までの距離（ＬＸＡ２Ａ１、ＬＹＡ２Ａ１）、点Ａ１から点Ａ４までの距離（ＬＸＡ４Ａ１、ＬＹＡ４Ａ１）を数７に示す式に基づき算出する。
【０３４３】
【数７】
0005642500.tif 000012
【０３４４】
次に、ステップ８２２（Ｓ８２２）からステップ８３２（Ｓ８３２）に示される２点入力を行なうための表示を行なうループに移行する。尚、ステップ９２２（Ｓ９２２）からステップ９３０（Ｓ９３０）は、これに対応する制御部３０におけるループである。
【０３４５】
ステップ８２２からステップ８３２におけるループでは、最初に、ステップ８２４（Ｓ８２４）において、点Ａ１と点Ａ２との２点を表示装置４０の表示画面に表示する。
【０３４６】
次に、ステップ８２６（Ｓ８２６）において、点Ａ１及び点Ａ２の２点を同時に押下することにより、２点入力がなされ、２点入力がオン状態となる。この情報はパーソナルコンピュータ６０より制御部３０に送信される。この情報に基づき、制御部３０では、ステップ９２４（Ｓ９２４）において、平均値算出のサブルーチンが動作する。尚、ステップ９２４における平均値算出のサブルーチンについては後述する。
【０３４７】
次に、ステップ８２８（Ｓ８２８）において、点Ａ１及び点Ａ２の２点押下が解除、即ち、点Ａ１及び点Ａ２が押下されていない状態となり、２点入力がＯＦＦ状態であることが検出される。この情報は、パーソナルコンピュータ６０より制御部３０に送信される。この情報に基づき、制御部３０では、ステップ９２６（Ｓ９２６）に示されるように、点Ａ１及び点Ａ２の２点入力が完了し、この状態における電圧降下値が測定される。
【０３４８】
次に、ステップ８３０（Ｓ８３０）において、電圧降下値の保存命令がパーソナルコンピュータ６０より制御部３０に送信される。制御部３０では、ステップ９２８（Ｓ９２８）に示されるように、点Ａ１及び点Ａ２の２点押下した場合における電圧降下値が保存される。
【０３４９】
ステップ８２２からステップ８３２のループにおいては、同様の動作を点Ａ１及び点Ａ２の２点を含め、点Ａ１及び点Ａ３の２点、点Ａ１及び点Ａ４の２点について行なうものであり計３回行なう。具体的には、ステップ８２４において、点Ａ１及び点Ａ２、点Ａ１及び点Ａ３、点Ａ１及び点Ａ４を順次表示し、所定の２点の位置を押下することにより、点Ａ１及び点Ａ２、点Ａ１及び点Ａ３、点Ａ１及び点Ａ４を押下した場合における電圧降下値を検出し保存する。即ち、これらの点について、ステップ８２２からステップ８３２、ステップ９２２からステップ９３０を順次行なう。
【０３５０】
次に、ステップ９３２（Ｓ９３２）において、近似式が算出される。具体的には、数７に示されるＸ軸方向及びＹ軸方向における点Ａ１から点Ａ２までの距離、点Ａ１から点Ａ３までの距離、点Ａ１から点Ａ４までの距離と、ステップ８２２からステップ８３２のループ及びステップ９２２からステップ８３０のループにおいて検出されたＸ軸方向及びＹ軸方向における点Ａ１及び点Ａ２、点Ａ１及び点Ａ３、点Ａ１及び点Ａ４を押下した場合における電圧降下値に基づき、数１に示される斜めＸ方向近似式におけるα２、β２、γ２を求めることができ、また、斜めＹ方向近似式におけるα４、β４、γ４求めることができる。よって、数１に示される式に基づき近似式を算出することができる。具体的には、点Ａ１及び点Ａ２、点Ａ１及び点Ａ３、点Ａ１及び点Ａ４の３つの異なる接触点の組み合わせにおいて、各々Ｘ軸方向及びＹ軸方向における位置座標と電圧降下値を得ることができるため、Ｘ軸方向及びＹ軸方向における各々３つの未知数であるα２、β２、γ２及びα４、β４、γ４を算出することができる。また、押下される点は斜め方向ではなく、Ｘ軸方向及びＹ軸方向に沿って配列された押下される点を押下することにより、同様に、数１に示される平行方向近似式におけるα１、β１、γ１を求めることができ、また、垂直方向近似式におけるα３、β３、γ３求めることができる。
【０３５１】
次に、ステップ９３４（Ｓ９３４）において、近似式が保存される。保存された近似式は、本実施の形態におけるタッチパネルにおいて、接触点が２点の場合の位置検出に用いられる。
【０３５２】
次に、図６３に基づきステップ９２４における平均値算出のサブルーチンについて説明する。
【０３５３】
最初に、ステップ９４２（Ｓ９４２）において、１点押下であるか２点押下であるかの判定が行なわれる。
【０３５４】
次に、ステップ９４４（Ｓ９４４）において、所定の時間が経過しタイムアウトとなっているか否かが判断される。具体的には、ステップ９４２からステップ９４６はループになっており、この間において所定の時間が経過してしまうとタイムアウトと判断される。よって、タイムアウトであるものと判断された場合には、終了する。一方、タイムアウトではないものと判断された場合には、ステップ９４６に移行する。尚、所定の時間は予め定められている。
【０３５５】
次に、ステップ９４６（Ｓ９４６）において、２点入力されているか否かが判断される。２点入力であるものと判断された場合には、ステップ９４８に移行する。一方、２点入力ではないものと判断された場合には、ステップ９４２に移行する。
【０３５６】
次に、ステップ９４８（Ｓ９４８）において、測定回数が所定の回数ｎ未満であるか否かが判断される。測定回数が所定の回数ｎ未満である場合には、ステップ９５０に移行する。一方、測定回数が所定の回数ｎ未満ではない場合（ｎ回以上の場合）には、ステップ９５２に移行する。
【０３５７】
次に、ステップ９５０（Ｓ９５０）において、合計値の新たに測定された測定値が加算される。尚、合計値は、本サブルーチンにおいて最初に初期化されているため０となっている。よって、ステップ９５０を繰り返すことにより、新たな測定値が合計値に順次加算される。
【０３５８】
次に、ステップ９５２（Ｓ９５２）において、（合計値）の値をＧ１の値とし、（合計値＋最新の測定値−最も古い測定値）の値をＧ２の値をとする。これにより、Ｇ１の値及びＧ２の値は、ともにｎ回測定した値の和となる。
【０３５９】
次に、ステップ９５４（Ｓ９５４）において、Ｇ１の値をｎで除してＧ１の平均値を算出し、Ｇ２の値をｎで除してＧ２の平均値を算出する。ここで、Ｇ２の平均値は、Ｇ１の平均値の一つ後の移動平均となる。
【０３６０】
次に、ステップ９５６（Ｓ９５６）において、Ｇ２の値を合計値として置き換える。
【０３６１】
次に、ステップ９５８（Ｓ９５８）において、｜Ｇ１の平均値−Ｇ２の平均値｜が所定の閾値以下であるか否かが判断される。｜Ｇ１の平均値−Ｇ２の平均値｜が所定の閾値以下である場合には、図６２に示されるメインルーチンに戻る。一方、｜Ｇ１の平均値−Ｇ２の平均値｜が所定の閾値以下ではない場合には、ステップ９４２に移行する。尚、閾値は、測定された電圧の値が安定しているか否か判断するために設けられるものであり、このような観点より閾値の値が定められる。
【０３６２】
以上により、本サブルーチンは終了する。
【０３６３】
尚、本実施の形態では、２点における接触は、点Ａ１及び点Ａ２、点Ａ１及び点Ａ３、点Ａ１及び点Ａ４の場合について説明したが、点Ａ１及び点Ａ４、点Ａ２及び点Ａ４、点Ａ３及び点Ａ４であってもよい。２点のうちのいずれか一方は、両端である点Ａ１または点Ａ４であると、正確な近似式を得ることができるため好ましい。
【０３６４】
また、点Ａ１及び点Ａ２においては、誤差が生じやすいことから、図６４に示されるように、更に、点Ａ１と点Ａ２との間を３等分して、点Ａ５及び点Ａ６とし、点Ａ１、点Ａ５、点Ａ６、点Ａ２について、図６１から図６３に示す初期化のプロセスを再度行い、点Ａ１と点Ａ２との間における近似式を別途算出してもよい。この場合、図６１から図６３のフローチャートにおいては、点Ａ５が点Ａ２に相当し、点Ａ６が点Ａ３に相当し、点Ａ２が点Ａ４に相当するものとして、処理がなされる。
【０３６５】
尚、上記において、点Ａ１、点Ａ２、点Ａ３、点Ａ４、点Ａ５、点Ａ６のうちいずれか５点を用いることにより、数２に示される３次式におけるＬ２及びＬ４を算出することができる。また、Ｘ軸方向、Ｙ軸方向に配列された５点を押下することにより数２に示されるＬ１及びＬ３を算出することもできる。
【０３６６】
また、２点間距離の精度を高める方法として、２点入力の区間を細分化し、例えば、図３３に示される２点入力による電圧降下の電位差と距離の関係をテーブルとして保存し、これらの入力点を通る曲線、例えば、スプライン曲線を求める。このスプライン曲線は、数１に示される２次式のように求めることもできる。これにより、２点入力操作中に測定した電位から２点間距離をより精度良く算出することが可能である。
【０３６７】
更に、２点座標算出の近似式の算出を簡略化する方法として、以下の方法がある。具体的には、複数のサイズのタッチパネルのうち代表的なタッチパネルを選定し、選定された１つのタッチパネルにおける複数回の２点入力による電圧降下の電位差をＲＯＭ(Read Only Memory)等にテーブルとして保存する。この後、選定されたタッチパネルとは別のタッチパネルを、制御部を含む回路基板に接続し、この組み合わせにおける最大距離の２点入力において測定される電圧降下の電位差との比を算出する。保存されている他の各２点入力の値は、それぞれの値と保存されている最大距離の２点入力による電圧降下の電位差との比と、選定されたタッチパネルとは別のタッチパネルを接続して測定される最大距離の２点入力の電圧降下の電位差の比を各々掛けることにより、接続されたタッチパネルに合わせた２点座標を得る。
【０３６８】
また、本実施の形態では、ステップ９３２において数１に示される２次の近似式を算出する場合について説明したが、点Ａ１と点Ａ２、点Ａ２と点Ａ３、点Ａ３と点Ａ４とを直線的に結んだ１次の近似式を算出するものであってもよい。具体的には、測定した値等に基づき、数８に示されるような１次の近似式を算出するものであってもよい。この場合、ε１〜ε６、η１〜η６の値は、直線的に結ばれる２点における値に基づき算出することができる。
【０３６９】
【数８】
0005642500.tif 000013
【０３７０】
更には、点Ａ２から点Ａ４までの位置では、数１に示される２次の近似式を用い、点Ａ１から点Ａ２までの位置では、数８に示される１次の近似式を用いるものであってもよい。
【０３７１】
〔第８の実施の形態〕
次に、第８の実施の形態について説明する。本実施の形態は、表示装置４０を用いることなく行なう初期化の方法である。具体的には、図６５に示されるように、表示装置４０に代えて、点Ａ１、点Ａ２、点Ａ３、点Ａ４の位置に印刷用により形成された印７１が設けられている表示治具７０を用いる方法である。この表示治具７０上にタッチパネル１を設置して、第７の実施の形態と同様の方法により初期化を行なうものである。尚、図６５（ａ）は、この方法の全体の構造の斜視図であり、図６５（ｂ）は、表示治具７０の上面図である。
【０３７２】
また、図６６に示されるように、タッチパネル１ａの周囲において、点Ａ１、点Ａ２、点Ａ３、点Ａ４の位置を示す印７３が設けられているものであってもよい。この印７３は、導電ペースト等により形成してもよい。具体的には、印７３は、Ｘ軸方向の対向する位置に設けられた印７３を結ぶ直線とＹ軸方向の対向する位置に設けられた印７３を結ぶ直線とが交差する位置が点Ａ１、点Ａ２、点Ａ３、点Ａ４の位置となるように形成されており、これにより接触点となる点が示される。尚、図６６（ａ）は、この方法の全体の構造の斜視図であり、図６６（ｂ）は、タッチパネル１ａの上面図である。
【０３７３】
また、図６７に示されるように、タッチパネル１ｂにおいて、点Ａ１、点Ａ２、点Ａ３、点Ａ４に対応する位置におけるドットスペーサ７５を間引くことにより、押下エリア７６を形成したものであってもよい。尚、押下エリア７６は接触点となる点である。
【０３７４】
以上、本発明の実施に係る形態について説明したが、上記内容は、発明の内容を限定するものではない。
【符号の説明】
【０３７５】
１０        第１の抵抗膜
１１        ＸＨ電極
１２        ＸＬ電極
２０        第２の抵抗膜
２１        ＹＨ電極
２２        ＹＬ電極
３０        制御部
３１        ＡＤ変換部
３２        メモリ
４０        表示装置
ＡＤＸ１    電位検出部
ＡＤＸ２    電位検出部
ＡＤＹ１    電位検出部
ＡＤＹ２    電位検出部
ＳＷ１、ＳＷ２、ＳＷ３、ＳＷ４、ＳＷ５、ＳＷ６、ＳＷ７        スイッチ
Ｒｘ１      抵抗
Ｒｘ２      抵抗
【図１】
0005642500.tif 000014
【図２】
0005642500.tif 000015
【図３】
0005642500.tif 000016
【図４】
0005642500.tif 000017
【図５】
0005642500.tif 000018
【図６】
0005642500.tif 000019
【図７】
0005642500.tif 000020
【図８】
0005642500.tif 000021
【図９】
0005642500.tif 000022
【図１０】
0005642500.tif 000023
【図１１】
0005642500.tif 000024
【図１２】
0005642500.tif 000025
【図１３】
0005642500.tif 000026
【図１４】
0005642500.tif 000027
【図１５】
0005642500.tif 000028
【図１６】
0005642500.tif 000029
【図１７】
0005642500.tif 000030
【図１８】
0005642500.tif 000031
【図１９】
0005642500.tif 000032
【図２０】
0005642500.tif 000033
【図２１】
0005642500.tif 000034
【図２２】
0005642500.tif 000035
【図２３】
0005642500.tif 000036
【図２４】
0005642500.tif 000037
【図２５】
0005642500.tif 000038
【図２６】
0005642500.tif 000039
【図２７】
0005642500.tif 000040
【図２８】
0005642500.tif 000041
【図２９】
0005642500.tif 000042
【図３０】
0005642500.tif 000043
【図３１】
0005642500.tif 000044
【図３２】
0005642500.tif 000045
【図３３】
0005642500.tif 000046
【図３４】
0005642500.tif 000047
【図３５】
0005642500.tif 000048
【図３６】
0005642500.tif 000049
【図３７】
0005642500.tif 000050
【図３８】
0005642500.tif 000051
【図３９】
0005642500.tif 000052
【図４０】
0005642500.tif 000053
【図４１】
0005642500.tif 000054
【図４２】
0005642500.tif 000055
【図４３】
0005642500.tif 000056
【図４４】
0005642500.tif 000057
【図４５】
0005642500.tif 000058
【図４６】
0005642500.tif 000059
【図４７】
0005642500.tif 000060
【図４８】
0005642500.tif 000061
【図４９】
0005642500.tif 000062
【図５０】
0005642500.tif 000063
【図５１】
0005642500.tif 000064
【図５２】
0005642500.tif 000065
【図５３】
0005642500.tif 000066
【図５４】
0005642500.tif 000067
【図５５】
0005642500.tif 000068
【図５６】
0005642500.tif 000069
【図５７】
0005642500.tif 000070
【図５８】
0005642500.tif 000071
【図５９】
0005642500.tif 000072
【図６０】
0005642500.tif 000073
【図６１】
0005642500.tif 000074
【図６２】
0005642500.tif 000075
【図６３】
0005642500.tif 000076
【図６４】
0005642500.tif 000077
【図６５】
0005642500.tif 000078
【図６６】
0005642500.tif 000079
【図６７】
0005642500.tif 000080